(57)【要約】【課題】システム全体の変更を抑制しつつ、複数の蓄電装置を切り替えることができる切替装置を提供する。【解決手段】切替装置は、複数の蓄電装置に接続される第１接続部１０２と、パワーコンディショナに接続される第２接続部１０３と、複数の蓄電装置のそれぞれとパワーコンディショナとの間の電力経路の導通および非導通を切り替える切替部１０１と、複数の蓄電装置のそれぞれから所定フォーマットのデータセットを受信することにより、複数のデータセットを受信する第１通信部１５１と、複数のデータセットを統合することにより、所定フォーマットの統合データセットを生成する生成部１５３と、統合データセットをパワーコンディショナに送信する第２通信部１５２とを備える。【選択図】図４
2015211551.tif 000002
【特許請求の範囲】
【請求項１】
蓄電装置から所定フォーマットのデータセットを受信した場合に前記蓄電装置から受信した前記データセットに従って動作するパワーコンディショナに接続される切替装置であって、
複数の蓄電装置に接続される第１接続部と、
前記パワーコンディショナに接続される第２接続部と、
前記複数の蓄電装置のそれぞれと前記パワーコンディショナとの間の電力経路の導通および非導通を切り替える切替部と、
前記複数の蓄電装置のそれぞれから前記所定フォーマットのデータセットを受信することにより、前記パワーコンディショナに導通している第１蓄電装置からの第１データセットと、前記パワーコンディショナに導通していない第２蓄電装置からの第２データセットとを含む複数のデータセットを受信する第１通信部と、
前記複数のデータセットを統合することにより、前記所定フォーマットの統合データセットを生成する生成部と、
前記統合データセットを前記パワーコンディショナに送信する第２通信部とを備える
切替装置。
【請求項２】
前記生成部は、前記複数のデータセットから得られる統計値を含む前記統合データセットを生成する
請求項１に記載の切替装置。
【請求項３】
前記生成部は、前記複数のデータセットの１つに含まれる値を含む前記統合データセットを生成する
請求項１または２に記載の切替装置。
【請求項４】
前記生成部は、前記第１データセットに含まれる値を含む前記統合データセットを生成する
請求項１〜３のいずれか１項に記載の切替装置。
【請求項５】
前記生成部は、前記第２データセットに含まれる値を含む前記統合データセットを生成する
請求項１〜４のいずれか１項に記載の切替装置。
【請求項６】
前記生成部は、前記複数のデータセットに含まれる複数の値のうち、規定された正常範囲外の値を含む前記統合データセットを生成する
請求項１〜５のいずれか１項に記載の切替装置。
【請求項７】
前記所定フォーマットには、第１パラメータと第２パラメータとを含む複数のパラメータが規定されており、
前記生成部は、（ｉ）前記第１パラメータについて、第１統合方式に従って得られる値を含み、（ｉｉ）前記第２パラメータについて、前記第１統合方式とは異なる第２統合方式に従って得られる値を含む前記統合データセットを生成する
請求項１〜６のいずれか１項に記載の切替装置。
【請求項８】
前記生成部は、（ｉ）前記第１パラメータについて、前記複数のデータセットから得られる統計値を含み、（ｉｉ）前記第２パラメータについて、前記複数のデータセットの１つに含まれる値を含む前記統合データセットを生成する
請求項７に記載の切替装置。
【請求項９】
前記生成部は、（ｉ）前記第１パラメータについて、前記第１データセットに含まれる値を含み、（ｉｉ）前記第２パラメータについて、前記第２データセットに含まれる値を含む前記統合データセットを生成する
請求項７に記載の切替装置。
【請求項１０】
前記生成部は、ユーザーによって指定された蓄電装置から受信されるデータセットを除いて、前記複数のデータセットを統合する
請求項１〜９のいずれか１項に記載の切替装置。
【請求項１１】
前記第１接続部は、さらに、新たな蓄電装置に接続され、
前記生成部は、前記新たな蓄電装置から受信したデータセットを含む前記複数のデータセットを統合する
請求項１〜１０のいずれか１項に記載の切替装置。
【請求項１２】
前記第２通信部は、さらに、前記パワーコンディショナから要求信号を受信し、
前記生成部は、
前記第２通信部で受信した前記要求信号が電流値を要求するための信号である場合、前記第１データセットに含まれる電流値を含む前記統合データセットを生成し、
前記第２通信部で受信した前記要求信号が容量値を要求するための信号である場合、前記第１データセットに含まれる容量値と前記第２データセットに含まれる容量値とを含む複数の容量値の統計値を含む前記統合データセットを生成する
請求項１〜１１のいずれか１項に記載の切替装置。
【請求項１３】
前記切替装置は、さらに、
他の切替装置に接続される第３接続部と、
前記他の切替装置から前記所定フォーマットのデータセットを受信する第３通信部とを備え、
前記生成部は、前記他の切替装置から受信した前記データセットを含む前記複数のデータセットを統合する
請求項１〜１２のいずれか１項に記載の切替装置。
【請求項１４】
前記第２接続部は、さらに、前記パワーコンディショナの代わりに他の切替装置に接続され、
前記第２通信部は、さらに、前記パワーコンディショナの代わりに前記他の切替装置へ前記統合データセットを送信する
請求項１〜１３のいずれか１項に記載の切替装置。
【請求項１５】
前記第１接続部は、さらに、前記複数の蓄電装置のうちの１つの代わりに他の切替装置に接続され、
前記第１通信部は、さらに、前記複数の蓄電装置のうちの１つの代わりに前記他の切替装置から前記所定フォーマットのデータセットを受信し、
前記生成部は、前記他の切替装置から受信した前記データセットを含む前記複数のデータセットを統合する
請求項１〜１４のいずれか１項に記載の切替装置。
【請求項１６】
前記統計値は、平均値、合計値、最大値、最小値、中央値または最頻値である
請求項２、８または１２に記載の切替装置。
【請求項１７】
請求項１〜１６のいずれか１項に記載の切替装置と、
前記複数の蓄電装置と、
前記パワーコンディショナとを備える
電力供給システム。
【請求項１８】
前記パワーコンディショナは、
前記切替装置から前記統合データセットを受信し、
前記切替装置から受信した前記統合データセットに従って動作する
請求項１７に記載の電力供給システム。
【請求項１９】
蓄電装置から所定フォーマットのデータセットを受信した場合に前記蓄電装置から受信した前記データセットに従って動作するパワーコンディショナを備える電力供給システムにおいて実行される切替方法であって、
複数の蓄電装置のそれぞれと前記パワーコンディショナとの間の電力経路の導通および非導通を切り替える切替ステップと、
前記複数の蓄電装置のそれぞれから前記所定フォーマットのデータセットを受信することにより、前記パワーコンディショナに導通している第１蓄電装置からの第１データセットと、前記パワーコンディショナに導通していない第２蓄電装置からの第２データセットとを含む複数のデータセットを受信する受信ステップと、
前記複数のデータセットを統合することにより、前記所定フォーマットの統合データセットを生成する生成ステップと、
前記統合データセットを前記パワーコンディショナに送信する送信ステップとを含む
切替方法。
【発明の詳細な説明】
【技術分野】
【０００１】
本発明は、パワーコンディショナに接続される切替装置等に関する。
【背景技術】
【０００２】
複数の蓄電装置の切替に関する技術として、特許文献１および特許文献２に記載の技術がある。
【先行技術文献】
【特許文献】
【０００３】
【特許文献１】国際公開第２０１３／０４６６５９号
【特許文献２】国際公開第２０１０／０５００４４号
【発明の概要】
【発明が解決しようとする課題】
【０００４】
しかしながら、複数の蓄電装置の切替を実現するため、電力を供給するためのシステム全体が大きく変更される場合がある。
【０００５】
そこで、本発明は、システム全体の変更を抑制しつつ、複数の蓄電装置を切り替えることができる切替装置等を提供する。
【課題を解決するための手段】
【０００６】
本発明の一態様に係る切替装置は、蓄電装置から所定フォーマットのデータセットを受信した場合に前記蓄電装置から受信した前記データセットに従って動作するパワーコンディショナに接続される切替装置であって、複数の蓄電装置に接続される第１接続部と、前記パワーコンディショナに接続される第２接続部と、前記複数の蓄電装置のそれぞれと前記パワーコンディショナとの間の電力経路の導通および非導通を切り替える切替部と、前記複数の蓄電装置のそれぞれから前記所定フォーマットのデータセットを受信することにより、前記パワーコンディショナに導通している第１蓄電装置からの第１データセットと、前記パワーコンディショナに導通していない第２蓄電装置からの第２データセットとを含む複数のデータセットを受信する第１通信部と、前記複数のデータセットを統合することにより、前記所定フォーマットの統合データセットを生成する生成部と、前記統合データセットを前記パワーコンディショナに送信する第２通信部とを備える。
【０００７】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明の一態様に係る切替装置は、システム全体の変更を抑制しつつ、複数の蓄電装置を切り替えることができる。
【図面の簡単な説明】
【０００９】
【図１】図１は、参考例における蓄電システムを示す構成図である。
【図２】図２は、実施の形態１における蓄電システムを示す構成図である。
【図３】図３は、実施の形態１における切替装置の制御部を示す構成図である。
【図４】図４は、実施の形態１における切替装置を示す構成図である。
【図５】図５は、実施の形態１におけるパワーコンディショナを示す構成図である。
【図６】図６は、実施の形態１における蓄電システムの動作を示すフローチャートである。
【図７】図７は、実施の形態１におけるパラメータを示す図である。
【図８】図８は、実施の形態１におけるパラメータの統合方法を説明する図である。
【図９】図９は、実施の形態１における切替装置の動作を示すフローチャートである。
【図１０】図１０は、実施の形態２における蓄電システムを示す構成図である。
【図１１】図１１は、実施の形態３における蓄電システムを示す構成図である。
【図１２】図１２は、実施の形態３における蓄電システムの変形例を示す構成図である。
【発明を実施するための形態】
【００１０】
（本発明の基礎となった知見）
本発明者は、「背景技術」の欄において記載した、複数の蓄電装置の切替に関して、課題を見出した。以下、具体的に説明する。
【００１１】
昨今、太陽電池の普及および大きな震災の発生を契機として、蓄電システムの普及が加速されつつある。
【００１２】
蓄電システムは、例えば、家庭または工場などの電力需要家において、電力負荷の比較的小さな時間帯に太陽電池によって生成される電力または電力系統から供給される電力を蓄電装置に充電し、電力負荷が比較的大きな時間帯に蓄電装置の電力を放電する。これにより、電力需要家において、電力消費量が平準化され、電力会社からの電力購入量が削減される。また、停電時に備えて、電力が蓄電装置に蓄えられる場合もある。
【００１３】
また、蓄電システムは、例えば、電力の入出力を制御するパワーコンディショナと、電力を蓄電池などに蓄える蓄電装置を備える。蓄電装置は、リチウムイオン電池などの蓄電池を有する場合がある。電力を蓄えることが可能な容量を示す蓄電容量は、蓄電装置によって様々である。
【００１４】
リチウムイオン電池などのような蓄電池は、安全のため、電力の充放電および保持に注意を要する。そのため、蓄電システムは、安全性に配慮した蓄電池制御機構を備える場合がある。蓄電池を安全に取り扱うため、蓄電装置は、電圧、電流および温度などを検知する検知部と、検知により得られる情報をパワーコンディショナへ通知する通信部を備える。パワーコンディショナは、通信によって得た情報を用いて蓄電装置の充放電などを制御することにより、蓄電装置内の蓄電池の安全を確保する。
【００１５】
図１は、参考例における蓄電システムを示す構成図である。図１に示された蓄電システム８００は、パワーコンディショナ９００と蓄電装置８１０とを備える。
【００１６】
蓄電装置８１０は、内部に蓄電池８１２を有し、蓄電装置８１０の上位装置であるパワーコンディショナ９００と通信するための制御部８１１を有する。
【００１７】
制御部８１１は、蓄電装置８１０内の図示しない検知部により蓄電池８１２の電圧、電流および温度などの情報を取得し、取得した情報と、蓄電装置８１０の製造番号および製造年月日などのような固体識別情報とを組み合わせてパワーコンディショナ９００へ送信する。あるいは、制御部８１１は、パワーコンディショナ９００からの制御情報を受信する。
【００１８】
制御部８１１は、さらに、蓄電装置８１０内の蓄電池８１２を安全に維持し、かつ、蓄電装置８１０を保護するため、蓄電装置８１０内の検知部からの情報、および、パワーコンディショナ９００からの情報に応じて蓄電装置８１０を制御する。
【００１９】
パワーコンディショナ９００は、内部に、パワーコンディショナ９００の下位装置である蓄電装置８１０と通信するための制御部９０１を持つ。また、制御部９０１は、さらに、パワーコンディショナ９００内の図示しないＤＣ／ＤＣコンバータ、双方向のＤＣ／ＡＣインバータ、および、保護部などを制御する。パワーコンディショナ９００内のＤＣ／ＤＣコンバータは、電力線等を介して、蓄電装置８１０内の蓄電池８１２に接続され、蓄電池８１２に充電または放電させる。
【００２０】
また、パワーコンディショナ９００は、電力系統９１０および負荷（負荷装置）９２０に接続されている。パワーコンディショナ９００内のＤＣ／ＡＣインバータは、ＤＣ／ＤＣコンバータ側の直流電力と、電力系統９１０側の交流電力とを双方向に変換することが可能である。具体的には、ＤＣ／ＡＣインバータは、電力系統９１０とＤＣ／ＤＣコンバータとの間の電力の授受、および、負荷９２０への電力供給を行う。
【００２１】
図１の例では、パワーコンディショナ９００は、太陽電池９３０から直流電力を受け取り、内部のＤＣ／ＡＣインバータおよびＤＣ／ＤＣコンバータを用いて、受け取った直流電力を制御する。
【００２２】
また、パワーコンディショナ９００は、内部の制御部９０１と蓄電装置８１０の制御部８１１との間の通信により、蓄電池８１２および蓄電装置８１０の情報を取得し、蓄電装置８１０による充電および放電を制御する。また、パワーコンディショナ９００は、太陽電池９３０から電力を受け取り、負荷９２０へ電力を供給する。
【００２３】
太陽電池９３０および電力系統９１０からの供給電力よりも負荷９２０からの要求電力が小さい場合、パワーコンディショナ９００は、蓄電装置８１０に充電させることにより余剰電力を蓄電する。太陽電池９３０および電力系統９１０からの供給電力よりも負荷９２０の要求電力が大きい場合、パワーコンディショナ９００は、蓄電装置８１０に放電させることにより不足電力を補う。これにより、パワーコンディショナ９００は、電力の平準化、あるいは、停電時の電力確保を行う。
【００２４】
蓄電システム８００が運用される状況は様々である。また、家庭、集合住宅、店舗または工場等である需要家の規模、あるいは、蓄電システム８００の運用方法によって、蓄電装置８１０に要求される蓄電容量は様々である。運用状況の変化により蓄電容量が不足する場合もある。その場合には蓄電容量を増加したいという要求が発生する。
【００２５】
しかしながら、蓄電システム８００を構成するパワーコンディショナ９００または蓄電装置８１０などが大型または高価な場合がある。また、蓄電システム８００が電力系統９１０と連携して運転を行う場合、蓄電システム８００の変更が電力系統９１０へ影響する可能性がある。そのため、蓄電システム８００を変更することは難しく、蓄電容量を増やしたくても蓄電システム８００の全体を増強することは困難である。
【００２６】
設置済みの蓄電システム８００を変更することなく、簡単に、蓄電装置８１０の容量を増設できれば、蓄電システム８００の利便性がさらに向上する。
【００２７】
複数の蓄電装置を使用する方法として、複数の蓄電装置のうち、充放電させる蓄電装置を切り替える方法がある。例えば、パワーコンディショナと複数の蓄電装置との間の接続を切替部によって選択的に切替ながら使用する方法がある（特許文献１参照）。また、複数の蓄電装置の切替において、切替前のパラメータから切替後のパラメータへ連続的にパラメータを変化させる方法がある（特許文献２参照）。
【００２８】
しかしながら、切替の制御方法はシステム開発時に予め定められている。そのため、システムにおける切替可能な蓄電装置の個数もシステム開発時に予め定められている。すなわち、システム開発時の想定以上の蓄電装置の増設は、困難であり、システム全体の変更を引き起こす可能性がある。
【００２９】
そこで、本発明の一態様に係る切替装置は、蓄電装置から所定フォーマットのデータセットを受信した場合に前記蓄電装置から受信した前記データセットに従って動作するパワーコンディショナに接続される切替装置であって、複数の蓄電装置に接続される第１接続部と、前記パワーコンディショナに接続される第２接続部と、前記複数の蓄電装置のそれぞれと前記パワーコンディショナとの間の電力経路の導通および非導通を切り替える切替部と、前記複数の蓄電装置のそれぞれから前記所定フォーマットのデータセットを受信することにより、前記パワーコンディショナに導通している第１蓄電装置からの第１データセットと、前記パワーコンディショナに導通していない第２蓄電装置からの第２データセットとを含む複数のデータセットを受信する第１通信部と、前記複数のデータセットを統合することにより、前記所定フォーマットの統合データセットを生成する生成部と、前記統合データセットを前記パワーコンディショナに送信する第２通信部とを備える。
【００３０】
これにより、切替装置は、複数の蓄電装置から複数のデータセットを所定フォーマットで取得し、統合データセットを所定フォーマットでパワーコンディショナへ送信する。したがって、各蓄電装置およびパワーコンディショナでは、直接接続と同様の通信が可能である。よって、切替装置は、パワーコンディショナおよび蓄電装置を含むシステム全体の変更を抑制しつつ、複数の蓄電装置を切り替えることができる。また、切替装置は、複数の蓄電装置から得られる情報を適切にパワーコンディショナに通知することができる。
【００３１】
また、例えば、前記生成部は、前記複数のデータセットから得られる統計値を含む前記統合データセットを生成してもよい。
【００３２】
これにより、切替装置は、複数の蓄電装置から統計的に得られる値を所定フォーマットに従ってパワーコンディショナへ送信することができる。すなわち、切替装置は、複数の蓄電装置を全体として１つの蓄電装置とみなした統計値をパワーコンディショナへ送信することができる。
【００３３】
また、例えば、前記生成部は、前記複数のデータセットの１つに含まれる値を含む前記統合データセットを生成してもよい。
【００３４】
これにより、切替装置は、複数の蓄電装置から得られる複数の値を所定フォーマットに従って選択的にパワーコンディショナへ送信することができる。
【００３５】
また、例えば、前記生成部は、前記第１データセットに含まれる値を含む前記統合データセットを生成してもよい。
【００３６】
これにより、切替装置は、パワーコンディショナに導通している蓄電装置から得られる値を所定フォーマットに従ってパワーコンディショナへ送信することができる。
【００３７】
また、例えば、前記生成部は、前記第２データセットに含まれる値を含む前記統合データセットを生成してもよい。
【００３８】
これにより、切替装置は、パワーコンディショナに導通していない蓄電装置から得られる値を所定フォーマットに従ってパワーコンディショナへ送信することができる。例えば、切替装置は、将来パワーコンディショナに導通する可能性がある蓄電装置から得られる値をパワーコンディショナへ送信することができる。
【００３９】
また、例えば、前記生成部は、前記複数のデータセットに含まれる複数の値のうち、規定された正常範囲外の値を含む前記統合データセットを生成してもよい。
【００４０】
これにより、切替装置は、複数の蓄電装置のうちのいずれかの蓄電装置の異常を所定フォーマットに従ってパワーコンディショナへ送信することができる。
【００４１】
また、例えば、前記所定フォーマットには、第１パラメータと第２パラメータとを含む複数のパラメータが規定されており、前記生成部は、（ｉ）前記第１パラメータについて、第１統合方式に従って得られる値を含み、（ｉｉ）前記第２パラメータについて、前記第１統合方式とは異なる第２統合方式に従って得られる値を含む前記統合データセットを生成してもよい。
【００４２】
これにより、切替装置は、パラメータ毎に定められた統合方式に従って得られる値をパワーコンディショナへ送信することができる。
【００４３】
また、例えば、前記生成部は、（ｉ）前記第１パラメータについて、前記複数のデータセットから得られる統計値を含み、（ｉｉ）前記第２パラメータについて、前記複数のデータセットの１つに含まれる値を含む前記統合データセットを生成してもよい。
【００４４】
これにより、切替装置は、複数の蓄電装置から統計的に得られる値と、複数の蓄電装置から選択的に得られる値とをパラメータに応じてパワーコンディショナへ送信することができる。
【００４５】
また、例えば、前記生成部は、（ｉ）前記第１パラメータについて、前記第１データセットに含まれる値を含み、（ｉｉ）前記第２パラメータについて、前記第２データセットに含まれる値を含む前記統合データセットを生成してもよい。
【００４６】
これにより、切替装置は、パワーコンディショナに導通している蓄電装置から得られる値と、パワーコンディショナに導通していない蓄電装置から得られる値とをパワーコンディショナへ送信することができる。
【００４７】
また、例えば、前記生成部は、ユーザーによって指定された蓄電装置から受信されるデータセットを除いて、前記複数のデータセットを統合してもよい。
【００４８】
これにより、切替装置は、特定の蓄電装置を除く複数の蓄電装置から得られる情報をパワーコンディショナに送信することができる。
【００４９】
また、例えば、前記第１接続部は、さらに、新たな蓄電装置に接続され、前記生成部は、前記新たな蓄電装置から受信したデータセットを含む前記複数のデータセットを統合してもよい。
【００５０】
これにより、切替装置は、新たに接続された蓄電装置から得られる情報をパワーコンディショナに送信することができる。
【００５１】
また、例えば、前記第２通信部は、さらに、前記パワーコンディショナから要求信号を受信し、前記生成部は、前記第２通信部で受信した前記要求信号が電流値を要求するための信号である場合、前記第１データセットに含まれる電流値を含む前記統合データセットを生成し、前記第２通信部で受信した前記要求信号が容量値を要求するための信号である場合、前記第１データセットに含まれる容量値と前記第２データセットに含まれる容量値とを含む複数の容量値の統計値を含む前記統合データセットを生成してもよい。
【００５２】
これにより、切替装置は、パワーコンディショナからの要求信号に対して適切に応答することができる。また、切替装置は、要求されるパラメータの特性に応じて、適切な値をパワーコンディショナへ送信することができる。
【００５３】
また、例えば、前記切替装置は、さらに、他の切替装置に接続される第３接続部と、前記他の切替装置から前記所定フォーマットのデータセットを受信する第３通信部とを備え、前記生成部は、前記他の切替装置から受信した前記データセットを含む前記複数のデータセットを統合してもよい。
【００５４】
これにより、切替装置は、切替装置に直接接続される蓄電装置のみでなく、他の切替装置から得られる情報を用いて、パワーコンディショナへ送信するための情報を生成することができる。すなわち、切替装置は、他の切替装置と連携して動作することができる。
【００５５】
また、例えば、前記第２接続部は、さらに、前記パワーコンディショナの代わりに他の切替装置に接続され、前記第２通信部は、さらに、前記パワーコンディショナの代わりに前記他の切替装置へ前記統合データセットを送信してもよい。
【００５６】
これにより、切替装置が、他の切替装置に対する蓄電装置のように動作することができる。
【００５７】
また、例えば、前記第１接続部は、さらに、前記複数の蓄電装置のうちの１つの代わりに他の切替装置に接続され、前記第１通信部は、さらに、前記複数の蓄電装置のうちの１つの代わりに前記他の切替装置から前記所定フォーマットのデータセットを受信し、前記生成部は、前記他の切替装置から受信した前記データセットを含む前記複数のデータセットを統合してもよい。
【００５８】
これにより、他の切替装置が蓄電装置として切替装置に接続される。したがって、より柔軟な構成が実現される。
【００５９】
また、例えば、前記統計値は、平均値、合計値、最大値、最小値、中央値または最頻値でもよい。
【００６０】
これにより、切替装置は、統計的に得られる様々な値のうちのいずれかを統計値として用いることができる。
【００６１】
また、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００６２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６３】
ここで、電力線および通信線は、主に、複数の装置の間の電力線および通信線を意味するが、装置内の電力線および通信線を意味する場合もある。
【００６４】
（実施の形態１）
図２は、本実施の形態における蓄電システムを示す構成図である。図２において、図１と同じ構成要素については同じ符号を用い、説明を省略する。
【００６５】
図２に示された蓄電システム１１１は、パワーコンディショナ９００、切替装置１００および蓄電装置８１０、８２０を備える。切替装置１００は、切替部１０１、第１接続部１０２、第２接続部１０３、第３接続部１０４、および、制御部１５０等を備える。
【００６６】
第２接続部１０３は、切替装置１００の上位装置であるパワーコンディショナ９００に電力線および通信線を介して接続される。第２接続部１０３は、パワーコンディショナ９００に接続される通信線を切替装置１００内の制御部１５０に接続するための通信端子ＵＣ１を有する。また、第２接続部１０３は、パワーコンディショナ９００に接続される電力線を切替装置１００内の切替部１０１に接続するための電力端子ＵＰ１、ＵＭ１を有する。
【００６７】
つまり、パワーコンディショナ９００に接続される通信線が通信端子ＵＣ１に接続され、パワーコンディショナ９００に接続される電力線が電力端子ＵＰ１、ＵＭ１に接続される。
【００６８】
第１接続部１０２は、切替装置１００の下位装置である蓄電装置８１０、８２０に電力線および通信線を介して接続される。第１接続部１０２は、蓄電装置８１０、８２０の通信線を切替装置１００内の制御部１５０に接続するための通信端子ＬＣ１１、ＬＣ１２を有する。また、第１接続部１０２は、蓄電装置８１０、８２０に接続される電力線を切替装置１００内の切替部１０１に接続するための電力端子ＬＰ１１、ＬＭ１１、ＬＰ１２、ＬＭ１２を有する。
【００６９】
蓄電装置８１０に接続される通信線は通信端子ＬＣ１１に接続され、蓄電装置８１０に接続される電力線は電力端子ＬＰ１１、ＬＭ１１に接続される。さらに、蓄電装置８２０に接続される通信線は通信端子ＬＣ１２に接続され、蓄電装置８２０に接続される電力線は電力端子ＬＰ１２、ＬＭ１２に接続される。
【００７０】
なお、図２では通信線が単線で記載されているが複数線で構成されてもよい。また、蓄電装置８１０、８２０が内部に有する蓄電池８１２、８２２のそれぞれは、複数の蓄電池を含んでもよい。そして、それぞれに含まれる複数の蓄電池は、直列に、または、並列に、あるいは、それらの組み合わせで（直並列に）接続した構成でもよい。
【００７１】
図２において、電力端子ＵＰ１、ＬＰ１１、ＬＰ１２に接続される電力線はプラスの電力線であり、電力端子ＵＭ１、ＬＭ１１、ＬＭ１２に接続される電力線はマイナスの電力線である。通信端子ＵＣ１、ＬＣ１１、ＬＣ１２を通る通信経路は、切替装置１００内の制御部１５０につながっている。電力端子ＵＰ１、ＬＰ１１、ＬＰ１２、ＵＭ１、ＬＭ１１、ＬＭ１２を通る電力経路は、切替装置１００内の切替部１０１につながっている。
【００７２】
切替部１０１は、パワーコンディショナ９００からの電力経路を、蓄電装置８１０からの電力経路、および、蓄電装置８２０からの電力経路に選択的に導通させる、あるいは、導通させないことが可能である。また、切替部１０１は、スイッチＳ１１、Ｓ２１、Ｓ１２、Ｓ２２、および、抵抗Ｒ１１、Ｒ１２を備える。
【００７３】
スイッチＳ１１は、パワーコンディショナ９００からの電力経路と、蓄電装置８１０からの電力経路とを導通させることが可能である。スイッチＳ２１は、パワーコンディショナ９００からの電力経路と、蓄電装置８１０からの電力経路とを抵抗Ｒ１１を介して導通させることが可能である。
【００７４】
スイッチＳ１２は、パワーコンディショナ９００からの電力経路と、蓄電装置８２０からの電力経路とを導通させることが可能である。スイッチＳ２２は、パワーコンディショナ９００からの電力経路と、蓄電装置８２０からの電力経路とを抵抗Ｒ１２を介して導通させることが可能である。
【００７５】
スイッチＳ１１、Ｓ２１、Ｓ１２、Ｓ２２は、電気的な導通を制御可能な部品である。例えば、スイッチＳ１１、Ｓ２１、Ｓ１２、Ｓ２２のそれぞれは、メカニカルリレーでもよいし、ＩＧＢＴまたはパワーＭＯＳＦＥＴなどの半導体素子でもよい。
【００７６】
切替装置１００は、検知部ＶＵ、ＶＬ１、ＶＬ２、ＩＵ、ＩＬ１、ＩＬ２を備えていてもよい。例えば、検知部ＶＵは、パワーコンディショナ９００に接続される電力線を接続するための電力端子ＵＰ１およびＵＭ１の間の電圧を検知する電圧センサである。検知部ＩＵは、パワーコンディショナ９００からの電力経路の電流を検知する電流センサである。
【００７７】
また、検知部ＶＬ１は、蓄電装置８１０に接続される電力線を接続するための電力端子ＬＰ１１およびＬＭ１１の間の電圧を検知する電圧センサである。検知部ＩＬ１は、蓄電装置８１０からの電力経路の電流を検知する電流センサである。検知部ＶＬ２は、蓄電装置８２０に接続される電力線を接続するための電力端子ＬＰ１２およびＬＭ１２の間の電圧を検知する電圧センサである。検知部ＩＬ２は、蓄電装置８２０からの電力経路の電流を検知する電流センサである。
【００７８】
この場合、検知部ＶＵ、ＶＬ１、ＶＬ２、ＩＵ、ＩＬ１、ＩＬ２のそれぞれの検知情報ＭＶＵ、ＭＶＬ１、ＭＶＬ２、ＭＩＵ、ＭＩＬ１、ＭＩＬ２は図示しない信号線によって制御部１５０に送られる。また、制御部１５０は、スイッチＳ１１、Ｓ２１、Ｓ１２、Ｓ２２をそれぞれ開閉するための制御信号ＣＳ１１、ＣＳ２１、ＣＳ１２、ＣＳ２２を出力し、スイッチＳ１１、Ｓ２１、Ｓ１２、Ｓ２２の開閉を制御する。
【００７９】
図２では、２台の蓄電装置８１０、８２０が切替装置１００に接続される例が示されている。３台以上の蓄電装置が切替装置１００に接続されるように、切替装置１００は、蓄電装置の数に応じて、通信端子、電力端子、スイッチ、抵抗、通信経路、および、電力経路を備えてもよい。
【００８０】
３台以上の蓄電装置が接続可能である場合も、上位装置と各下位装置との間の電力経路の導通および非導通を切り替える切替部１０１は、下位装置のいずれかと上位装置とが導通するように、あるいは、全ての下位装置と上位装置とが導通しないように制御する。切替装置１００に接続される蓄電装置の数は、切替装置１００に接続可能な蓄電装置の最大数でもよいし、切替装置１００に接続可能な蓄電装置の最大数よりも少ない任意の数でもよい。
【００８１】
切替装置１００内の制御部１５０は、通信端子ＵＣ１を介して、パワーコンディショナ９００内の制御部９０１からデータ（データセット）を受信したり、制御部９０１へデータを送信したりする。また、制御部１５０は、通信端子ＬＣ１１を介して、蓄電装置８１０内の制御部８１１からデータを受信したり、制御部８１１へデータを送信したりする。また、制御部１５０は、通信端子ＬＣ１２を介して、蓄電装置８２０内の制御部８２１からデータを受信したり、制御部８２１へデータを送信したりする。
【００８２】
蓄電装置８１０、８２０は、それぞれ、内部に蓄電池８１２、８２２を有する。そして、蓄電装置８１０、８２０は、蓄電池８１２、８２２に充放電させるため、あるいは、蓄電池８１２、８２２を安全に使用するため、内部の図示しない検知部を介して、蓄電池８１２、８２２の電圧、充放電流および温度などの情報を検知する。そして、制御部８１１、８２１は、通信線を介して切替装置１００へ情報をそれぞれ送信する。
【００８３】
また、制御部８１１、８２１は、通信線を介して、切替装置１００から情報を受け取り、受信した情報、および、蓄電装置８１０、８２０内で検知した情報を用いて蓄電装置８１０、８２０内の図示しない保護部を制御して保護動作などを行う。
【００８４】
また、切替装置１００は、切替装置１００と同じ構成を有する他の切替装置と通信を行うための通信端子Ｎ１１、Ｎ１２を備えてもよい。例えば、第３接続部１０４が通信端子Ｎ１１、Ｎ１２を有する。通信端子Ｎ１１は、上位の切替装置と通信するための端子であり、通信端子Ｎ１２は、下位の切替装置と通信するための端子である。通信端子Ｎ１１、Ｎ１２は、それぞれ別々の他の切替装置と通信してもよい。また、通信端子Ｎ１１、Ｎ１２はそれぞれ複数持ってもよい。
【００８５】
本実施の形態では、通信端子Ｎ１１、Ｎ１２に他の切替装置が接続されない状態での例を説明する。通信端子Ｎ１１、Ｎ１２に他の切替装置が接続されない場合、切替装置１００は、通信端子Ｎ１１、Ｎ１２を有していなくてもよい。通信端子Ｎ１１、Ｎ１２等を用いて複数の切替装置の間で通信を行う動作については実施の形態３で説明する。
【００８６】
図３は、図２における制御部１５０を示す構成図である。図３に示された制御部１５０は、第１通信部１５１、第２通信部１５２、第３通信部１５６、生成部１５３、切替制御部１５７、および、記憶部１５８を備える。切替制御部１５７は、切替判定部１５４、および、導通制御部１５５を備える。
【００８７】
第１通信部１５１は、切替装置１００の下位装置と通信するための通信部であり、第２通信部１５２は、切替装置１００の上位装置と通信するための通信部である。図２において、切替装置１００の下位装置は、蓄電装置８１０、８２０であり、上位装置はパワーコンディショナ９００である。
【００８８】
図３では、２台の下位装置が、第１通信部１５１への通信経路に接続される例が記載されている。３台以上の下位装置が、第１通信部１５１への通信経路に接続可能でもよい。また、図２のように下位装置が２台の場合、２台の下位装置が第１通信部１５１への２つの通信経路に接続可能でもよいし、３台以上の下位装置が接続可能な複数の通信経路に、２台の下位装置のみが接続されてもよい。
【００８９】
また、第３通信部１５６は、切替装置１００が他の切替装置と通信するための通信部である。切替装置１００が通信端子Ｎ１１、Ｎ１２を有する場合、第３通信部１５６は、通信端子Ｎ１１、Ｎ１２を介して他の切替装置と通信することができる。
【００９０】
記憶部１５８は、第１通信部１５１、第２通信部１５２、第３通信部１５６、生成部１５３および切替制御部１５７からのデータを保持する。また、第１通信部１５１、第２通信部１５２、第３通信部１５６、生成部１５３、および、切替制御部１５７が、記憶部１５８に保持されたデータを参照する。
【００９１】
切替判定部１５４は、切替装置１００内の検知部ＶＵ、ＶＬ１、ＶＬ２、ＩＵ、ＩＬ１、ＩＬ２からの検知情報ＭＶＵ、ＭＶＬ１、ＭＶＬ２、ＭＩＵ、ＭＩＬ１、ＭＩＬ２を受け取る。切替判定部１５４は、さらに、生成部１５３、第１通信部１５１、および、導通制御部１５５等に対して、情報の受け渡しを行う。
【００９２】
導通制御部１５５は、切替判定部１５４から情報を受け取り、切替装置１００内の切替部１０１内のスイッチＳ１１、Ｓ２１、Ｓ１２、Ｓ２２の開閉をそれぞれ制御するための制御信号ＣＳ１１、ＣＳ２１、ＣＳ１２、ＣＳ２２を送信する。
【００９３】
制御部１５０が実行する処理は、電子回路、マイクロコンピュータ、コンピュータプログラム、あるいは、それらの組み合わせによって実行されてもよい。
【００９４】
図２において、パワーコンディショナ９００は、図１のパワーコンディショナ９００と同様に、１台の蓄電装置と通信して１台の蓄電装置に対して充放電を行うことが想定された装置である。
【００９５】
また、図２において、蓄電装置８１０、８２０は、図１の蓄電装置８１０と同様に、１台のパワーコンディショナ９００と通信して充放電を実施することが想定された装置である。パワーコンディショナ９００と蓄電装置８１０、８２０のそれぞれとの間で行われる通信のデータフォーマットは予め定められた既知のフォーマットである。
【００９６】
図２において、切替装置１００は、１台のパワーコンディショナ９００と、２台の蓄電装置８１０、８２０との間に挿入される。そして、切替装置１００は、２台の蓄電装置８１０、８２０のいずれかとパワーコンディショナ９００との間の電力経路が導通するように切替を行う。そして、切替装置１００は、１台のパワーコンディショナと１台の蓄電装置で構成される蓄電システムに、さらに１台の蓄電装置を増設することを可能にする。
【００９７】
切替装置１００は、蓄電装置８１０、８２０、および、パワーコンディショナ９００のそれぞれに通信線を介して接続される。そして、切替装置１００は、蓄電装置８１０、８２０のそれぞれと、パワーコンディショナ９００との間の電力経路の導通および非導通を切り替える。その際、切替装置１００は、蓄電装置８１０、８２０、および、パワーコンディショナ９００から受信した情報、および、切替装置１００内の各検知部で検知した情報のいずれかあるいは組み合わせを用いる。
【００９８】
このように切替装置１００が動作することにより、パワーコンディショナ９００は、切替装置１００に電力線を介して接続された蓄電装置８１０、８２０のいずれかに充放電させることができる。
【００９９】
図１の蓄電システム８００において、蓄電装置８１０がパワーコンディショナ９００へ送信していた蓄電装置８１０の状態を示すパラメータを含むデータを、図２の蓄電システム１１１では、切替装置１００内の制御部１５０が受信する。図２の蓄電システム１１１において、２台の蓄電装置８１０、８２０が通信線を介して切替装置１００に接続され、切替装置１００は２台の蓄電装置８１０、８２０からデータを受信する。これらのデータは、蓄電装置８１０、８２０の状態を示すパラメータを含む。
【０１００】
切替装置１００の制御部１５０は、パラメータの種類に応じて、いずれかの蓄電装置の値を選択する、あるいは、複数の蓄電装置の統計値を選択することにより、１台分の蓄電装置のデータを生成する。その際、切替装置１００は、パワーコンディショナ９００と蓄電装置８１０、８２０との間の所定のデータフォーマットを満たすデータを生成し、パワーコンディショナ９００へ送信する。パワーコンディショナ９００は、切替装置１００から受信したデータを１台の蓄電装置のデータとして扱うことができる。
【０１０１】
パワーコンディショナ９００から送信されたデータは、切替装置１００の制御部１５０を介して、切替装置１００に接続された２台の蓄電装置８１０、８２０の両方へそれぞれ送信される。パワーコンディショナ９００が、データの送信要求を送信していた場合、２台の蓄電装置８１０、８２０の両方が応答をパワーコンディショナ９００へ向けて送信する。そのため、切替装置１００は、自身に接続された２台の蓄電装置８１０、８２０からデータを受信する。
【０１０２】
このような処理により、パワーコンディショナ９００は１台の蓄電装置を扱う場合と同様の処理のままで充放電を制御することができる。そして、パワーコンディショナ９００、および、蓄電装置８１０、８２０の構成が変更されることなく、蓄電システム１１１において２台の蓄電装置８１０、８２０の利用が可能である。
【０１０３】
図４は、図２に示された切替装置１００を示す構成図である。切替装置１００は、図２および図３に示された構成要素のうち、図４に示された構成要素のみを備えてもよい。図４に示された切替装置１００は、切替部１０１、第１接続部１０２、第２接続部１０３、第１通信部１５１、第２通信部１５２、および、生成部１５３を備える。
【０１０４】
また、切替装置１００は、パワーコンディショナ９００に接続される。パワーコンディショナ９００は、蓄電装置８１０等から所定フォーマットのデータセットを受信した場合に蓄電装置８１０等から受信したデータセットに従って動作する。
【０１０５】
第１接続部１０２は、蓄電装置８１０、８２０等に接続される。第２接続部１０３は、パワーコンディショナ９００に接続される。切替部１０１は、蓄電装置８１０、８２０等のそれぞれとパワーコンディショナ９００との間の電力経路の導通および非導通を切り替える。
【０１０６】
第１通信部１５１は、蓄電装置８１０、８２０等のそれぞれから所定フォーマットのデータセットを受信することにより、複数のデータセットを受信する。例えば、複数のデータセットは、パワーコンディショナ９００に導通している蓄電装置８１０からの第１データセットと、パワーコンディショナ９００に導通していない蓄電装置８２０からの第２データセットとを含む。
【０１０７】
生成部１５３は、複数のデータセットを統合することにより、所定フォーマットの統合データセットを生成する。第２通信部１５２は、統合データセットをパワーコンディショナ９００に送信する。
【０１０８】
図５は、図２に示されたパワーコンディショナ９００を示す構成図である。パワーコンディショナ９００は、ＤＣ／ＤＣコンバータ９０３、９０４、ＤＣ／ＡＣインバータ９０２、ＤＣバス９０５、制御部９０１、および、ＵＩ部９０９を備える。制御部９０１は、充放電制御部９０６、通信部９０７、および、記憶部９０８を備える。
【０１０９】
ＤＣ／ＤＣコンバータ９０３は、ＤＣ／ＡＣインバータ９０２で受け取ることができる電圧へ、太陽電池９３０からの電力の電圧を変換する。ＤＣ／ＤＣコンバータ９０４は、ＤＣ／ＡＣインバータ９０２で受け取ることができる電圧へ、蓄電装置８１０または切替装置１００等からの電力の電圧を変換する。また、ＤＣ／ＤＣコンバータ９０４は、蓄電装置８１０または切替装置１００等で受け取ることができる電圧へ、ＤＣ／ＡＣインバータ９０２からの電力の電圧を変換する。
【０１１０】
ＤＣバス９０５は、ＤＣ／ＤＣコンバータ９０３、９０４およびＤＣ／ＡＣインバータ９０２等に接続される。
【０１１１】
ＤＣ／ＡＣインバータ９０２は、太陽電池９３０、蓄電装置８１０および切替装置１００等からの直流電力を電力系統９１０および負荷９２０への交流電力に変換する。通信部９０７は、蓄電装置８１０または切替装置１００等からデータを受信し、記憶部９０８へデータを格納する。ＵＩ部（ユーザーインターフェース部）９０９は、記憶部９０８へ格納されたデータに基づいて、ユーザーへ情報を通知する。あるいは、ＵＩ部９０９は、ユーザーの操作によって得られるデータを記憶部９０８に格納する。
【０１１２】
記憶部９０８は、通信部９０７、ＵＩ部９０９および充放電制御部９０６から得られるデータを記憶する。充放電制御部９０６は、通信部９０７および記憶部９０８から得られるデータに基づいて、ＤＣ／ＤＣコンバータ９０４の動作を制御することにより、蓄電装置８１０等に充放電させる。
【０１１３】
図６は、切替装置１００の動作を説明するためのフローチャートである。切替装置１００は、起動後、図示しない初期化処理により、切替装置１００の動作に用いられる変数の初期化などを実施する。その後、切替装置１００は、切替装置１００の上位装置および下位装置からデータを受信した場合に実行される割り込み処理を許可するための処理を行う（ステップＦ１０１）。図２において、切替装置１００の上位装置はパワーコンディショナ９００であり、切替装置１００の下位装置は蓄電装置８１０、８２０である。
【０１１４】
以降、切替装置１００は、上位装置または下位装置からデータを受信した場合、それぞれに対応する処理を行うための、図示されない割り込み処理を実行する。
【０１１５】
また、切替装置１００は、起動後、初回の通信を待つ。つまり、切替装置１００は、上位装置あるいは下位装置からの通信を待ち、データを取得する（ステップＦ１０２）。通信が開始されないまま、待ち時間が規定の時間を越えた場合、あるいは、通信試行回数が規定の回数を越えた場合、切替装置１００は、切替装置１００の動作を停止するためのタイムアウト処理を行ってもよい。
【０１１６】
切替装置１００は、パワーコンディショナ９００から下位装置へ応答を要求するためのデータ（信号）を受信した場合、第１通信部１５１および通信端子ＬＣ１１、ＬＣ１２を介して、パワーコンディショナ９００から受信したデータを下位装置へ送信する。蓄電装置８１０、８２０が通信端子ＬＣ１１、ＬＣ１２に接続され正常に動作している場合、応答要求に対する応答データが蓄電装置８１０、８２０から切替装置１００の第１通信部１５１へ送信される。
【０１１７】
切替装置１００は、この応答データを確認することで、第１接続部１０２に接続されている蓄電装置８１０、８２０等の数と、第１接続部１０２において蓄電装置８１０、８２０等が接続されている端子を識別することができる。
【０１１８】
切替装置１００に新たな蓄電装置が増設された場合、切替装置１００は、新たな蓄電装置から第１通信部１５１へ送信されたデータを確認し、新たな蓄電装置から送信されたデータを統合対象データに含める。これにより、新たな蓄電装置が増設された場合にも、増設された蓄電装置も含めて、パラメータの統合が可能である。
【０１１９】
例えば、図２において、切替装置１００に蓄電装置８１０のみが接続されている場合、切替装置１００は、蓄電装置８１０のみからデータを受信し、蓄電装置８１０のデータ（パラメータ）をパワーコンディショナ９００へ送信する。その後、蓄電装置８２０が増設された場合、切替装置１００は、蓄電装置８２０からデータを受信するため、蓄電装置８１０のデータおよび蓄電装置８２０のデータを統合して、パワーコンディショナ９００へ送信するためのデータを生成する。
【０１２０】
通信が成功した場合、次に、切替装置１００は、各装置の運転状態を確認する（ステップＦ１０３）。切替装置１００は、パワーコンディショナ９００からデータを受信できない、あるいは、全ての下位装置からデータを受信できない、あるいは、切替装置１００の検知部を用いて切替装置１００が正常に動作していないと判断した場合、切替装置１００の動作を停止するための処理を行ってもよい。
【０１２１】
次に、切替装置１００は、切替要否判定処理を行う（ステップＦ１５１）。例えば、図３の切替判定部１５４は、蓄電装置８１０、８２０において、パワーコンディショナ９００と電力経路を導通させる蓄電装置を切り替えるか否かを判定する。より具体的には、切替判定部１５４は、蓄電装置８１０、８２０からの情報（データ）、および、切替装置１００内の検知部からの情報（データ）のいずれか、あるいは、これらの組み合わせに基づいて、切替の要否を判定する。
【０１２２】
次に、切替判定部１５４は、切替要否判定処理の結果を確認する（ステップＦ１０４）。切替判定部１５４は、切替要否判定処理で切替が必要と判定された場合、切替装置１００に接続された蓄電装置８１０、８２０等から、パワーコンディショナ９００と電力経路を導通させる蓄電装置を選択するための切替先選択処理を行う（ステップＦ１５２）。
【０１２３】
切替判定部１５４が切替先選択処理で切替先の蓄電装置を決定した後、導通制御部１５５が切替部１０１内のスイッチＳ１１、Ｓ２１、Ｓ１２、Ｓ２２を制御して、パワーコンディショナ９００と導通する電力経路の切替のための導通切替処理を行う（ステップＦ１５３）。導通制御部１５５は、切替先として選択された１台の蓄電装置のみがパワーコンディショナ９００と電力経路が導通している状態になるように切替を行う。その後、切替装置１００は、運転状態の確認から同様の処理を繰り返す。
【０１２４】
次に、切替装置１００が切替装置１００の上位装置であるパワーコンディショナ９００からデータを受信した場合の処理を具体的に説明する。
【０１２５】
第２通信部１５２がパワーコンディショナ９００から受信したデータは、第１通信部１５１を介して切替装置１００の全ての下位装置へそのまま送信される。例えば、図２では下位装置である蓄電装置８１０、８２０へデータが送信される。なお、このような処理は、上位装置からデータ受信時に、割り込み処理として実行される。あるいは、このような処理は、定期的な処理として実行されてもよいし、全体の処理に影響しないように通信タイミングが調整されてもよい。
【０１２６】
次に、切替装置１００が切替装置１００の下位装置である蓄電装置８１０、８２０からデータを受信した場合の処理を具体的に説明する。切替装置１００の生成部１５３は、第１通信部１５１を介して、下位装置である蓄電装置８１０、８２０のデータを受信する。
【０１２７】
図７は、蓄電装置８１０等の状態を示すパラメータの例を示す図である。蓄電装置８１０等からパワーコンディショナ９００へ送信されるデータは、既知のデータフォーマットに従う。図７に示されたパラメータＩ８０は、この既知のデータフォーマットで規定されたパラメータであって、蓄電装置の状態を示すパラメータである。すなわち、これらのパラメータは、蓄電装置８１０等から取得されるデータに含まれる。
【０１２８】
切替装置１００内の生成部１５３は、第１通信部１５１を介して、蓄電装置８１０、８２０のそれぞれからデータを取得し、それぞれの状態を示すパラメータを取得する。その後、生成部１５３は、各パラメータについて、複数の値のいずれかを選択する、あるいは、複数の値から計算される統計値を選択することによって、送信パラメータを生成する。
【０１２９】
ここで、統計値は、切替装置１００に接続された複数の蓄電装置の平均値、合計値、最大値、最小値、中央値または最頻値などであってよい。また、平均値は、他のパラメータの値に基づく重み付けをした平均値などであってよい。
【０１３０】
生成部１５３は、生成した送信パラメータに、蓄電装置８１０、８２０とパワーコンディショナ９００との間の通信の既知のデータフォーマットを適用して、既知のデータフォーマットのデータを生成する。そして、第２通信部１５２が、上位装置であるパワーコンディショナ９００へ、生成部１５３で生成されたデータを送信する。
【０１３１】
このようにデータを統合することで得られるデータは、蓄電装置８１０あるいは蓄電装置８２０からのデータと同じデータフォーマットに加工されている。そのため、上位装置であるパワーコンディショナ９００は、切替装置１００から受信したデータを１台の蓄電装置のデータとみなすことができる。
【０１３２】
図７に記載した各パラメータの内容について説明する。
【０１３３】
製造番号は、蓄電装置の固体識別に用いられるパラメータである。蓄電装置毎に異なる記号、番号あるいはその組み合わせが製造番号として与えられている。
【０１３４】
製造年月日は、蓄電装置がいつ製造されたかを示すパラメータである。
【０１３５】
満充電容量は、蓄電装置の満充電時の蓄電容量を絶対値で表すパラメータである。
【０１３６】
充電状態は、満充電容量のうち現在どの程度蓄電装置に充電されているかを示すパラメータである。本実施の形態で、充電状態は、満充電容量に対する比率で表される。
【０１３７】
蓄電池電圧は、蓄電装置内の蓄電池の電圧を示すパラメータである。蓄電池電圧は、通常、蓄電池の充電状態によって変化することが知られている。
【０１３８】
蓄電池電流は、蓄電装置内の蓄電池の電流を示すパラメータである。蓄電池電流は蓄電池が充電あるいは放電される際に蓄電装置内の電力線を流れる電流である。
【０１３９】
蓄電池温度は、蓄電装置内の蓄電池の温度を示すパラメータである。
【０１４０】
これらのパラメータに、蓄電装置の動作状態を示すパラメータである状態フラグが含まれてもよい。状態フラグは、正常状態または異常状態などのような、蓄電装置の運転状態を示す。例えば、状態フラグは、通常状態または異常状態などを示す値を有する。さらに、状態フラグは、通常状態のうち、充電中または放電中などの動作状態を示す値を有してもよい。
【０１４１】
また、交換またはメンテナンスなどで取り外すことが予定された蓄電装置が蓄電システム１１１内で使用されることを避けるため、この蓄電装置の状態フラグは使用不可を示す値を有する。本実施の形態では、状態フラグを使用不可に設定することを除外指定と呼称する。例えば、このような除外指定はメンテナンスモードと呼ばれるモードに関連する。
【０１４２】
ここで、状態フラグが除外指定の値を有する蓄電装置は、ユーザーあるいはパワーコンディショナ９００によって、蓄電システム１１１内で使用不可に設定されている。
【０１４３】
パワーコンディショナ９００は、通信を用いて蓄電装置の状態フラグを変更することにより状態フラグに除外指定の値を設定することができる。ユーザーは、蓄電装置あるいはパワーコンディショナ９００の操作盤を用いて状態フラグに除外指定の値を設定することができる。
【０１４４】
また、各パラメータについて、正常範囲が定められている。例えば、正常範囲を示す情報は、記憶部１５８に記憶されている。切替装置１００は、蓄電装置からデータを取得した際に、正常範囲外の値を有する蓄電装置が異常であると判断する。
【０１４５】
図７のパラメータ分類は、パラメータの分類である。ここでは、各パラメータが、Ａ群、Ｂ群、Ｃ群およびＤ群のいずれかに分類される。具体的には、絶対値で蓄電装置の容量値を表すパラメータは、Ａ群に分類される。比率で蓄電装置の容量値に関する情報を表すパラメータはＢ群に分類される。蓄電装置の固体識別に関する情報を表すパラメータは、Ｃ群に分類される。パワーコンディショナ９００が蓄電装置の充放電を制御するため参照するパラメータはＤ群に分類される。
【０１４６】
生成部１５３は、蓄電装置８１０、８２０から受信したパラメータを統合してパワーコンディショナ９００へ送信するためのパラメータを生成する際に、このパラメータ分類によって統合方式を変更する。
【０１４７】
なお、図７に示されたパラメータ等は例であり、パラメータ等は図７の例に限定されない。充電状態は、満充電容量に対する比率でなく、充電されている容量を絶対値で表されてもよい。この場合、充電状態は、Ａ群に分類される。上記の複数の分類に該当しないパラメータは、Ｃ群あるいはＤ群に分類されてもよい。
【０１４８】
図８は、２台の蓄電装置８１０、８２０がパワーコンディショナ９００へ向けて送信するパラメータを切替装置１００が受信し、切替装置１００がパワーコンディショナ９００へ向けて送信するパラメータを生成する動作を示す図である。ここで、図２に示す蓄電装置８１０を１台目の蓄電装置と表し、蓄電装置８２０を２台目の蓄電装置と表す。
【０１４９】
パラメータＩ８１は、切替装置１００が１台目の蓄電装置８１０から受信したパラメータを示す。パラメータＩ８２は、切替装置１００が２台目の蓄電装置８２０から受信したパラメータを示す。パラメータＩ９０は、切替装置１００がパワーコンディショナ９００へ送信するパラメータを示す。図８のパラメータＩ８１、Ｉ８２、Ｉ９０の上段は各パラメータの属性を示しており、下段は各パラメータの値を示している。
【０１５０】
図８の例において、パワーコンディショナ９００と蓄電装置８１０の電力経路は導通している。パワーコンディショナ９００と蓄電装置８２０の電力経路は導通していない。
【０１５１】
この例において、製造番号および製造年月日のように、蓄電装置の固体識別に用いられるパラメータには、パワーコンディショナ９００へ送信されるパラメータとして、製造年月日が古い蓄電装置８２０の値が採用されている。満充電容量には、蓄電装置８１０と蓄電装置８２０との合計値が採用されている。充電状態には、蓄電装置８１０と蓄電装置８２０との平均値が採用されている。蓄電池電圧、蓄電池電流および蓄電池温度には、パワーコンディショナ９００に電力経路が導通している蓄電装置８１０の値が採用されている。
【０１５２】
切替装置１００は、採用された値を含むパラメータＩ９０を、１台の蓄電装置のパラメータを示す所定のデータフォーマットのデータとして、パワーコンディショナ９００へ送信する。
【０１５３】
図９は、切替装置１００が下位装置からデータを受信した場合の処理を示すフローチャートである。
【０１５４】
切替装置１００は、第１通信部１５１を介して、全ての下位装置からデータを取得する（ステップＦ２０１）。例えば、第１通信部１５１は、下位装置である蓄電装置８１０、８２０からデータを取得する。第１通信部１５１は、取得したデータを生成部１５３および切替判定部１５４へ送る。蓄電システム１１１の動作中に蓄電装置が新たに増設され、新たに増設された蓄電装置のデータが通信により取得された場合、当該蓄電装置のデータも同様に処理される。
【０１５５】
切替装置１００は、取得したデータ内のパラメータに含まれる状態フラグを確認する。切替装置１００は、状態フラグで除外指定された蓄電装置を交換予定等のため蓄電システム１１１内で使用禁止に指定されている蓄電装置と判定する。当該蓄電装置の全パラメータは、以降のパラメータ統合処理から除外される（ステップＦ２０２、Ｆ２０３）。
【０１５６】
また、通信端子ＬＣ１１、ＬＣ１２に蓄電装置が接続されておらず、蓄電装置からの応答が無い場合、切替判定部１５４および導通制御部１５５は、切替部１０１を制御して、当該蓄電装置の電力経路が上位装置と導通しないように制御する。そして、切替装置１００は、上位装置へ送信するためのパラメータは、応答が無い蓄電装置のパラメータを除いて、統合処理を実行する。つまり、図９において、除外対象の蓄電装置は、状態フラグに除外指定の値を有する蓄電装置、あるいは、応答が無い蓄電装置である。
【０１５７】
切替装置１００は、除外されなかった蓄電装置のパラメータに対して、パラメータ統合処理を実行する（ステップＦ２５０）。
【０１５８】
具体的には、切替装置１００の生成部１５３は、パラメータ分類に応じて、パラメータ統合処理を行う（ステップＦ２５０）。パラメータ統合処理（ステップＦ２５０）は、Ａ群のパラメータ処理（ステップＦ２５１）、Ｂ群のパラメータ処理（ステップＦ２５２）、Ｃ群のパラメータ処理（ステップＦ２５３）、および、Ｄ群のパラメータ処理（ステップＦ２５４）を含む。生成部１５３は、パラメータ統合処理（ステップＦ２５０）によって、パワーコンディショナ９００へ送信するためのパラメータを生成する。
【０１５９】
切替装置１００の生成部１５３は、１台の蓄電装置のデータを生成し、生成されたデータをパワーコンディショナ９００へ送信する（ステップＦ２０４、Ｆ２０５）。パワーコンディショナ９００へ送信されるデータは、パラメータ統合処理（ステップＦ２５０）で生成されたパラメータの値を含み、パワーコンディショナ９００と蓄電装置との間のデータフォーマットに従う。
【０１６０】
次に、Ａ群に分類されたパラメータの統合処理について説明する。
【０１６１】
切替装置１００は、切替装置１００に接続されている蓄電装置から受信したデータのうち、蓄電装置の容量を絶対値で示す値について、全蓄電装置の合計値を算出し、算出した合計値をパワーコンディショナ９００へ通知する。具体的には蓄電装置に内蔵する蓄電池の初期の容量、満充電容量等が考えられる。
【０１６２】
切替装置１００に接続されている蓄電装置の数がｋ台であり、１台目の蓄電装置の満充電容量がＣＡＰ１であり、２台目の蓄電装置の満充電容量がＣＡＰ２であり、ｋ台目の蓄電装置の満充電容量がＣＡＰｋである場合、パワーコンディショナ９００へ通知される満充電容量ＣＡＰｐｃｓの値は式１で表現される。
【０１６３】
【数１】
2015211551.tif 000003
【０１６４】
例えば、蓄電装置８１０の満充電容量が５ｋＷｈであり、蓄電装置８２０の満充電容量が５ｋＷｈである場合、パワーコンディショナ９００へ送信されるパラメータに含まれる満充電容量の値を満充電容量の合計値である１０ｋＷｈとして送信する。これにより、パワーコンディショナ９００は、切替装置１００を介して蓄電装置８１０のみに導通している場合でも、５ｋＷｈの満充電容量を有する蓄電装置８１０ではなく、１０ｋＷｈの満充電容量を有する１台の蓄電装置が接続していると認識する。
【０１６５】
例えば、パワーコンディショナ９００のＵＩ部９０９が、いずれの蓄電装置が接続されているかによらず、蓄電システム１１１が全体として有する全ての蓄電装置の満充電容量の合計値をユーザーへ通知することができる。ユーザーはパワーコンディショナ９００のＵＩ部９０９を介して、蓄電システム１１１全体の満充電容量を把握することができる。
【０１６６】
満充電容量の合計値の計算処理において、パワーコンディショナ９００の対応可能な満充電容量の最大値を満充電容量の合計値が超える場合、パワーコンディショナ９００が対応可能な満充電容量の最大値を切替装置１００が送信してもよい。
【０１６７】
満充電容量は、Ａ群のパラメータの例である。容量に関する値の絶対値を示すその他のパラメータがＡ群に分類されてもよい。このようなパラメータの値として、生成部１５３は、合計値を生成してもよい。
【０１６８】
次に、Ｂ群に分類されたパラメータの統合処理について説明する。
【０１６９】
切替装置１００は、切替装置１００に接続されている蓄電装置から受信したデータのうち、蓄電装置の充電状態等を蓄電装置の容量の比率として表す値について、全蓄電装置の平均値を算出しパワーコンディショナ９００へ送信する。
【０１７０】
切替装置１００に接続されている蓄電装置の数がｋ台であり、１台目の蓄電装置の充電状態がＳＯＣ１（％）であり、２台目の蓄電装置の充電状態がＳＯＣ２（％）であり、ｎ台目の蓄電装置の充電状態がＳＯＣｎ（％）である場合、パワーコンディショナ９００へ通知される充電状態ＳＯＣｐｃｓの値は式２で表される。
【０１７１】
【数２】
2015211551.tif 000004
【０１７２】
例えば、蓄電装置８１０の充電状態が８０％であり、蓄電装置８２０の充電状態が２０％である場合、パワーコンディショナ９００へ送信される充電状態は５０％である。
【０１７３】
蓄電装置８１０の満充電容量が５ｋＷｈであり、蓄電装置８２０の満充電容量も５ｋＷｈである場合、Ａ群のパラメータ統合処理によって、合計である１０ｋＷｈの蓄電装置が接続されているとパワーコンディショナ９００は認識する。このとき、Ｂ群のパラメータ統合処理によって、充電状態が５０％としてパワーコンディショナ９００に通知される。したがって、パワーコンディショナ９００は、蓄電システム１１１の全体で充電されている容量値が１０ｋＷｈの５０％の５ｋＷｈであると認識できる。
【０１７４】
このように、切替装置１００は、蓄電装置の容量値に対する比率で表現される充電状態等のようなパラメータについて、全蓄電装置のパラメータの平均値をパワーコンディショナへ送信する。これにより、パワーコンディショナ９００は、蓄電システム１１１全体での充電状態等を把握することができる。
【０１７５】
なお、異なる大きさの満充電容量を有する複数の蓄電装置が切替装置１００に接続され、かつ、切替装置１００が蓄電装置の充電状態の平均値をパワーコンディショナ９００へ送った場合、パワーコンディショナ９００は正しい残容量を計算できない。そこで、切替装置１００は、満充電容量に合計値を採用し、かつ、充電状態に各蓄電装置の満充電容量に応じた重み付け平均値を採用してもよい。これにより、パワーコンディショナ９００が正しい充電状態を認識することができる。
【０１７６】
例えば、１台目の蓄電装置の満充電容量がＣＡＰ１、充電状態がＳＯＣ１であり、かつ、２台目の蓄電装置の充放電可能容量値がＣＡＰ２、充電状態がＳＯＣ２であり、ｎ台目の蓄電装置の充放電可能容量値がＣＡＰｎ、充電状態がＳＯＣｎである場合、送信される満充電容量ＣＡＰｐｃｓおよび充電状態ＳＯＣｐｃｓは、式３および式４で表される。
【０１７７】
【数３】
2015211551.tif 000005
【０１７８】
【数４】
2015211551.tif 000006
【０１７９】
例えば、蓄電装置８１０の満充電容量が５ｋＷｈ、充電状態が２０％であり、蓄電装置８２０の満充電容量が１０ｋＷｈ、充電状態が８０％である場合、切替装置１００は、１５ｋＷｈの満充電容量と、６０％の充電状態とをパワーコンディショナ９００へ送信する。
【０１８０】
このように、切替装置１００は、満充電容量には合計値を採用した上で、充電状態には各蓄電装置の満充電容量に応じた重み付け平均値を採用する。これにより、異なる大きさの満充電容量を有する複数の蓄電装置が切替装置１００に接続された場合でも、パワーコンディショナ９００は、正しい残容量を認識することができる。
【０１８１】
次に、Ｃ群に分類されたパラメータの統合処理について説明する。
【０１８２】
切替装置１００は、切替装置１００に接続されている蓄電装置から受信したデータのうち、蓄電装置の固体識別のための情報を示す値について、全蓄電装置のうち最も使用時間の長い蓄電装置の値をパワーコンディショナ９００へ通知する。使用時間を示すパラメータが存在しない場合、切替装置１００は、製造されてからの経過時間の長い蓄電装置の値を送信してもよい。
【０１８３】
例えば、図８に示すように、蓄電装置８１０の製造年月日が２０１２年１月１日であり、蓄電装置８２０の製造年月日が２０１０年１月２日である場合、切替装置１００は、製造番号および製造年月日に、製造年月日の古い蓄電装置８２０の値をパワーコンディショナ９００へ送信する。つまり、切替装置１００は、Ａ０１０を示す製造番号、および、２０１０年１月２日を示す製造年月日をパワーコンディショナ９００へ送信する。
【０１８４】
このように、切替装置１００は、蓄電装置の固体識別に用いられるパラメータについて、使用時間の最も長い蓄電装置の値をパワーコンディショナ９００へ送信する。これにより、例えば、パワーコンディショナ９００は、最も使用時間の長い蓄電装置に基づいて蓄電装置の交換時期を確実にユーザーに通知することができる。そして、長期間切替が行われず、新しい蓄電装置が導通したままである場合でも、古い蓄電装置あるいは使用時間の長い蓄電装置が放置されることを防止することが可能である。
【０１８５】
次に、Ｄ群に分類されたパラメータの統合処理について説明する。
【０１８６】
切替装置１００は、切替装置１００に接続されている蓄電装置から受信したデータのうち、パワーコンディショナ９００が充放電制御に使用するパラメータについて、パワーコンディショナ９００に導通されている蓄電装置の値をパワーコンディショナ９００へ送信する。パワーコンディショナ９００が充放電制御に使用するパラメータは、蓄電池電圧、蓄電池電流、および、蓄電池温度のいずれか、または、これらの組み合わせ等である。
【０１８７】
例えば、図８では、パワーコンディショナ９００に導通している蓄電装置８１０の蓄電池電圧が９０Ｖであり、蓄電池電流が２０Ａであり、蓄電池温度が３０℃である。また、パワーコンディショナ９００に導通していない蓄電装置８２０の蓄電池電圧が８０Ｖであり、蓄電池電流が０Ａであり、蓄電池温度が２０℃である。この場合、切替装置１００は、９０Ｖの蓄電池電圧、２０Ａの蓄電池電流、および、３０℃の蓄電池温度をパワーコンディショナ９００へ送信する。
【０１８８】
このように、切替装置１００は、パワーコンディショナ９００が充放電制御に使用するパラメータについては、パワーコンディショナ９００に導通されている蓄電装置の値を使用する。これにより、他のパラメータの統合方式にかかわらず、パワーコンディショナ９００は、充放電制御を正しく行うことができる。
【０１８９】
なお、パワーコンディショナ９００は、蓄電池温度を、充放電制御ではなく、保護に使用する場合がある。そのため、切替装置１００は、蓄電池温度について、切替装置１００に接続された複数の蓄電装置の蓄電池温度のうち最も大きな値を採用してもよい。
【０１９０】
また、切替装置１００に接続されている複数の蓄電装置のうちいずれかの蓄電装置の値が、正常範囲外である場合、切替装置１００内の制御部１５０は、正常範囲外の値を有する蓄電装置は異常であると判定する。そして、制御部１５０は、上記のパラメータの統合方式にかかわらず、第２通信部１５２を介して正常範囲外の値をパワーコンディショナ９００へ送信してもよい。
【０１９１】
例えば、特定のパラメータについて、蓄電装置８１０の値が正常範囲内であり、蓄電装置８２０の値が正常範囲外である場合、切替装置１００は、そのパラメータについて、上記の統合方式によらず、蓄電装置８２０の値をパワーコンディショナ９００へ送信する。切替装置１００は、その他のパラメータについて、上記の統合方式に従って得られる値をパワーコンディショナ９００へ送信する。
【０１９２】
これにより、パワーコンディショナ９００は、切替装置１００を介して接続された複数の蓄電装置のいずれかに異常が発生していることを認識することができる。パワーコンディショナ９００が蓄電装置の異常に応じて充放電を停止すれば、蓄電システム１１１において充放電が停止され安全が確保される。
【０１９３】
上記の通り、切替装置１００は、所定のデータフォーマットのデータを生成し、生成されたデータをパワーコンディショナ９００へ送信する。
【０１９４】
例えば、切替装置１００は、１台目の蓄電装置８１０のデータに含まれる満充電容量を上記の統合方式に基づいて得られた満充電容量に入れ替えてもよい。同様に、切替装置１００は、１台目の蓄電装置８１０のデータに含まれる他のパラメータの値を上記の統合方式に基づいて得られた値に入れ替えてもよい。これにより、切替装置１００は、所定のデータフォーマットのデータを生成することができる。切替装置１００は、１台目の蓄電装置８１０のデータの代わりに、２台目の蓄電装置８２０のデータを用いてもよい。
【０１９５】
なお、上記のデータの生成方法は例であり、データの生成方法は上記の例に限られない。また、図９の処理は、下位装置からデータを受信した際に割り込み処理として実行される。この処理は、通信タイミングを調整することで、定期的に実行されてもよい。また、Ａ群に対応する統合方式、Ｂ群に対応する統合方式、Ｃ群に対応する統合方式、および、Ｄ群に対応する統合方式のうち、いずれかのみが全てのパラメータに対して行われてもよい。これらの統合方式が任意に組み合わされてもよい。
【０１９６】
また、Ａ群のパラメータ処理、Ｂ群のパラメータ処理、Ｃ群のパラメータ処理、Ｄ群のパラメータ処理の順番は、入れ替えて実施されてもよい。また、図７および図８のパラメータは例であり、パラメータは、図７または図８の例に限定されず、その他のパラメータが用いられてもよい。
【０１９７】
次に、図６の各処理について具体的に説明する。
【０１９８】
図６の切替要否判定処理において、切替判定部１５４は、パワーコンディショナ９００に導通している蓄電装置を別の蓄電装置に切り替えるか否かを判定する。例えば、パワーコンディショナ９００に導通している蓄電装置の充電状態が低い場合、過放電の可能性がある。また、パワーコンディショナ９００に導通している蓄電装置の充電状態が高い場合、過充電の可能性がある。
【０１９９】
すなわち、パワーコンディショナ９００に導通している蓄電装置の充電状態が所定の閾値ＥＳＯＣよりも低い場合、あるいは、パワーコンディショナ９００に導通している蓄電装置の充電状態が所定の閾値ＦＳＯＣよりも高い場合、過放電または過充電の可能性がある。この場合、切替判定部１５４は、切替が必要と判定してもよい。過放電の可能性があると判定するための閾値ＥＳＯＣは１０％でもよいし、過充電の可能性があると判定するための閾値ＦＳＯＣは９０％でもよい。
【０２００】
また、初期起動時において、判定処理で、上位装置に導通している蓄電装置が存在しない場合、いずれかの蓄電装置をパワーコンディショナ９００に導通させるため、切替が必要と判定してもよい。
【０２０１】
切替要否判定処理において、切替が必要と判定された場合、切替装置１００は、パワーコンディショナ９００に導通させる蓄電装置を、切替装置１００に接続されている他の蓄電装置へ切り替える。
【０２０２】
図６の切替先選択処理において、切替判定部１５４は、パワーコンディショナ９００に導通していない蓄電装置のうちから、蓄電装置を１つのみ選択する。例えば、蓄電装置８１０がパワーコンディショナ９００に導通している状態において、切替要否判定で切替が必要であると判定された場合、切替判定部１５４は、蓄電装置８２０を切替先として選択する。
【０２０３】
また、例えば、切替装置１００に３台以上の蓄電装置が接続され、かつ、接続端子の並び順で１台目の蓄電装置が導通している状態で、切替が必要と判定された場合、切替判定部１５４は、隣の２台目の蓄電装置を切替先として選択してもよい。また、２台目の蓄電装置が導通している状態で切替が必要と判定された場合、切替判定部１５４は、３台目の蓄電装置を切替先として選択してもよい。このように、切替判定部１５４は、接続端子の並び順で次の蓄電装置を切替先として選択してもよい。
【０２０４】
切替が必要か否かの判定方法および切替先の選択方法には、ここで示された方法とは異なる方法が用いられてもよい。
【０２０５】
図６において、切替装置１００は、切替先選択処理の後、導通切替処理を行う。導通切替処理において、まず、パワーコンディショナ９００が蓄電装置を充電あるいは放電している場合、切替装置１００は、蓄電装置の充電あるいは放電を停止する。
【０２０６】
例えば、切替装置１００は、蓄電装置のパラメータに含まれる充電電流制限値および放電電流制限値を０Ａに設定して、充電電流制限値および放電電流制限値をパワーコンディショナ９００へ送信してもよい。パワーコンディショナ９００は、０Ａの充電電流制限値、および、０Ａの放電電流制限値を受信して、充放電を停止する。切替装置１００は、充放電が停止するまで待つ。
【０２０７】
ここで、切替装置１００は、充放電が停止されたか否かを確認するため、切替装置１００内の電流センサ（検知部ＩＵ、ＩＬ１、ＩＬ２）を用いて電流を検知してもよい。または、切替装置１００は、蓄電装置８１０、８２０からデータを受信し、蓄電池電流を確認することで充放電の停止を確認してもよい。
【０２０８】
次に、パワーコンディショナ９００に導通している蓄電装置が存在しない場合、切替部１０１は、切替部１０１に含まれるスイッチのうち、切替先選択処理において選択された蓄電装置と、パワーコンディショナ９００とを導通させるスイッチをＯＮにする。
【０２０９】
例えば、図２において、パワーコンディショナ９００に導通している蓄電装置が存在しない状態において、切替要否判定処理で切替が必要と判定され、切替先選択処理で切替先として蓄電装置８１０が選択された場合、切替部１０１はスイッチＳ１１をＯＮにする。これにより、パワーコンディショナ９００と蓄電装置８１０とが導通する。
【０２１０】
このとき、切替部１０１は、突入電流を防止するため、スイッチＳ２１をＯＮにすることで抵抗Ｒ１１の経路を先に導通させてから、スイッチＳ１１をＯＮにして、その後、スイッチＳ２１をＯＦＦにしてもよい。
【０２１１】
また、パワーコンディショナ９００に導通している蓄電装置が存在する場合、切替部１０１は、既に蓄電装置とパワーコンディショナ９００とを導通させているスイッチをＯＦＦにする。そして、切替部１０１は、切替先の蓄電装置と、パワーコンディショナ９００とを導通させるスイッチをＯＮにする。
【０２１２】
例えば、図２において、スイッチＳ１１がＯＮであり、パワーコンディショナ９００と蓄電装置８１０とが導通している状態において、切替要否判定処理で切替が必要と判定され、切替先選択処理で切替先として蓄電装置８２０が選択された場合、切替部１０１は、スイッチＳ１１をＯＦＦにしてからスイッチＳ１２をＯＮにする。これにより、パワーコンディショナ９００と蓄電装置８２０とが導通する。
【０２１３】
このとき、切替部１０１は、蓄電装置８１０と蓄電装置８２０との間の電位差による突入電流を防止するため、蓄電装置８１０側の抵抗Ｒ１１の経路のスイッチＳ２１をＯＮにしてから、スイッチＳ１１をＯＦＦにする。その後、切替部１０１は、蓄電装置８２０側の抵抗Ｒ１２の経路のスイッチＳ２２をＯＮにし、スイッチＳ２１をＯＦＦにし、スイッチＳ１２をＯＮにし、スイッチＳ２２をＯＦＦにしてもよい。
【０２１４】
上記の切替部１０１の構成および切替の手順は例であり、切替のための構成および手順は、上記の例に限られない。複数の蓄電装置を切り替えることができる構成および方法であればよい。
【０２１５】
上記の通り、蓄電システム１１１は、複数の蓄電装置８１０、８２０を切り替えながら、複数の蓄電装置８１０、８２０を使用する。
【０２１６】
そして、蓄電システム１１１において、切替装置１００に接続された複数の蓄電装置８１０、８２０がパワーコンディショナ９００に向けて送信するデータを切替装置１００の第１通信部１５１が受信する。そして、切替装置１００は、切替装置１００に接続された蓄電装置８１０、８２０の状態を示すパラメータから、上記の方法を用いてパワーコンディショナ９００へ送信するためのパラメータを生成する。
【０２１７】
切替装置１００は、生成されたパラメータを、パワーコンディショナ９００と蓄電装置８１０、８２０との間で規定されたデータフォーマットに従ってパワーコンディショナ９００へ送信する。パワーコンディショナ９００は、切替装置１００から受信したデータを１台の蓄電装置のデータのように扱うことができる。したがって、切替装置１００を用いて蓄電装置８１０または蓄電装置８１０等が増設された場合、パワーコンディショナ９００と蓄電装置８１０、８２０等との間のデータの処理方法が変更されなくてもよい。
【０２１８】
つまり、切替装置１００を用いることにより、パワーコンディショナ９００、および、蓄電装置８１０、８２０等の構成に変更を加えることなく、蓄電システム１１１において使用可能な蓄電容量を増加させることが可能である。
【０２１９】
なお、本実施の形態において、２台の蓄電装置８１０、８２０が切替装置１００に接続される例が示されているが、３台以上の蓄電装置が接続されてもよい。その場合も、充電時および放電時に１台の蓄電装置のみがパワーコンディショナ９００に導通するように、切替部１０１が接続の状態を変更あるいは維持する。
【０２２０】
つまり、切替装置１００に３台以上の蓄電装置が接続可能でもよい。蓄電システム１１１において、より多くの蓄電装置の接続が可能な切替装置１００を用いることにより、より多くの蓄電装置の増設が可能である。
【０２２１】
また、切替装置１００は、パワーコンディショナ９００からパラメータを要求するための要求信号を受信し、受信した要求信号によって要求されるパラメータを含むデータを所定フォーマットでパワーコンディショナ９００へ送信してもよい。その際、切替装置１００は、要求信号に応じて、全てのパラメータではなく、一部のパラメータのみを含むデータを送信してもよい。
【０２２２】
例えば、第２通信部１５２が、パワーコンディショナ９００から要求信号を受信する。そして、要求信号が電流値を要求するための信号である場合、生成部１５３は、パワーコンディショナ９００に導通している蓄電装置８１０のデータにおける電流値を含むデータを生成する。要求信号が容量値を要求するための信号である場合、生成部１５３は、蓄電装置８１０、８２０のデータにおける容量値の統計値を含むデータを生成する。そして、第２通信部１５２が、生成されたデータをパワーコンディショナ９００へ送信する。
【０２２３】
これにより、切替装置１００は、パワーコンディショナ９００からの要求信号に応じて、適切なデータをパワーコンディショナ９００へ送信できる。
【０２２４】
（実施の形態２）
図１０は、本実施の形態における蓄電システムを示す構成図である。図１０に示された蓄電システム１１２は、パワーコンディショナ９００、切替装置２００、３００、蓄電装置８１０、８２０、８３０を備える。図１０において省略されているが、切替装置２００、３００は、実施の形態１において説明した切替装置１００と同じ構成を有する。蓄電装置８３０は、実施の形態１において説明した蓄電装置８１０、８２０と同じ構成を有する。
【０２２５】
切替装置２００の通信端子ＵＣ２、ＬＣ２１、ＬＣ２２、Ｎ２１、Ｎ２２は、それぞれ、図２の通信端子ＵＣ１、ＬＣ１１、ＬＣ１２、Ｎ１１、Ｎ１２に対応する。切替装置２００の電力端子ＵＰ２、ＵＭ２、ＬＰ２１、ＬＭ２１、ＬＰ２２、ＬＭ２２は、それぞれ、図２の電力端子ＵＰ１、ＵＭ１、ＬＰ１１、ＬＭ１１、ＬＰ１２、ＬＭ１２に対応する。切替装置２００の制御部２５０は、図２の制御部１５０に対応する。
【０２２６】
切替装置３００の通信端子ＵＣ３、ＬＣ３１、ＬＣ３２、Ｎ３１、Ｎ３２は、それぞれ、図２の通信端子ＵＣ１、ＬＣ１１、ＬＣ１２、Ｎ１１、Ｎ１２に対応する、切替装置３００の電力端子ＵＰ３、ＵＭ３、ＬＰ３１、ＬＭ３１、ＬＰ３２、ＬＭ３２は、それぞれ、図２の電力端子ＵＰ１、ＵＭ１、ＬＰ１１、ＬＭ１１、ＬＰ１２、ＬＭ１２に対応する。切替装置３００の制御部３５０は、図２の制御部１５０に対応する。
【０２２７】
蓄電装置８３０の制御部８３１は、図２の蓄電装置８１０、８２０の制御部８１１、８２１に対応する。蓄電装置８３０の蓄電池８３２は、図２の蓄電装置８１０、８２０の蓄電池８１２、８２２に対応する。
【０２２８】
切替装置２００の通信端子ＵＣ２、および、電力端子ＵＰ２、ＵＭ２は、通信線および電力線を介して、パワーコンディショナ９００に接続されている。切替装置２００の通信端子ＬＣ２１、および、電力端子ＬＰ２１、ＬＭ２１は、通信線および電力線を介して、蓄電装置８１０に接続されている。切替装置２００の通信端子ＬＣ２２、および、電力端子ＬＰ２２、ＬＭ２２は、通信線および電力線を介して、別の切替装置３００の通信端子ＵＣ３、および、電力端子ＵＰ３、ＵＭ３に接続されている。
【０２２９】
切替装置３００の通信端子ＬＣ３１、および、電力端子ＬＰ３１、ＬＭ３１は、通信線および電力線を介して、蓄電装置８２０にそれぞれ接続されている。切替装置３００の通信端子ＬＣ３２、および、電力端子ＬＰ３２、ＬＭ３２は、通信線および電力線を介して、蓄電装置８３０に接続されている。
【０２３０】
本実施の形態において、切替装置２００、３００内の各切替部（図示せず）は実施の形態１と同様に動作する。そして、切替装置２００、３００のそれぞれは、図６と同じフローに従って動作する。つまり、切替装置２００、３００のそれぞれは、下位装置から受信したデータ、上位装置から受信したデータ、および、内部の検知部からの検知情報のいずれか、あるいは、これらの組み合わせに基づいて、動作する。
【０２３１】
切替装置２００の上位装置は、パワーコンディショナ９００であり、切替装置２００の下位装置は、蓄電装置８１０および切替装置３００である。切替装置３００の上位装置は、切替装置２００であり、切替装置３００の下位装置は、蓄電装置８２０、８３０である。そして、切替装置２００、３００のそれぞれは、上位装置と下位装置との間の導通状態を変更するか否かの切替要否判定処理を行う。切替が必要な場合、各切替装置は、切替先選択処理、および、導通切替処理を行う。
【０２３２】
このとき、切替装置３００は、蓄電装置８２０、８３０から受信したパラメータを実施の形態１に示された統合方式に従って統合することで、上位装置に送信するためのパラメータを生成する。そして、切替装置３００は、通信端子ＵＣ３を介して、切替装置３００の上位装置である切替装置２００へ生成されたパラメータを送信する。切替装置２００は、通信端子ＬＣ２２を介して、切替装置３００からパラメータを受信する。
【０２３３】
切替装置３００は、蓄電装置８２０、８３０から受信したパラメータを統合し、パワーコンディショナ９００と各蓄電装置との間で規定されたデータフォーマットのデータを切替装置２００へ送信する。そのため、切替装置２００は、下位装置である切替装置３００から受信したデータを１台の蓄電装置から受信したデータとして処理することができる。
【０２３４】
切替装置２００は、蓄電装置８１０から受信したパラメータと、切替装置３００から受信したパラメータとを統合して、通信端子ＵＣ２を介して、上位装置であるパワーコンディショナ９００へデータを送信する。切替装置２００、３００において、下位装置から受信したパラメータの統合方式は実施の形態１と同じ統合方式を用いる。
【０２３５】
このような構成および動作によれば、蓄電システム１１２において、切替装置２００、３００のそれぞれに接続可能な蓄電装置の数が２個であっても、２台の切替装置２００、３００により、３台の蓄電装置８１０、８２０、８３０が増設可能である。
【０２３６】
切替装置に下位装置として接続する切替装置の数を増やすことで、ツリー構造のような接続が可能である。そして、最も下位の装置として蓄電装置を設置することで、増設可能な蓄電装置の数を増やすことが可能である。
【０２３７】
また、各切替装置は、下位装置からのパラメータを統合して、所定フォーマットのデータを上位装置に送信する。したがって、最上位のパワーコンディショナ９００へは、所定フォーマットのデータが送信される。そのため、パワーコンディショナ９００は、１台の蓄電装置が接続されている場合と同様に動作できる。
【０２３８】
本実施の形態では、２台の切替装置が用いられているが、３台以上の切替装置が用いられてもよい。より多くの切替装置を用いることで、より多くの蓄電装置の増設が可能である。
【０２３９】
また、本実施の形態では、２台の蓄電装置が接続可能な２台の切替装置が用いられている。しかし、各切替装置に接続可能な蓄電装置の数は２台でなくてもよいし、切替装置の数は２台でなくてもよい。
【０２４０】
（実施の形態３）
図１１は、本実施の形態における蓄電システムを示す構成図である。図１１に示された蓄電システム１１３は、切替装置４００、５００、６００を備える。切替装置４００、５００、６００は、図２に示された切替装置１００と同じ構成を有する。蓄電装置８４０は、図２に示された蓄電装置８１０、８２０と同じ構成を有する。
【０２４１】
切替装置４００の通信端子ＵＣ４、ＬＣ４１、ＬＣ４２、Ｎ４１、Ｎ４２は、それぞれ、図２の通信端子ＵＣ１、ＬＣ１１、ＬＣ１２、Ｎ１１、Ｎ１２に対応する。切替装置４００の電力端子ＵＰ４、ＵＭ４、ＬＰ４１、ＬＭ４１、ＬＰ４２、ＬＭ４２は、それぞれ、図２の電力端子ＵＰ１、ＵＭ１、ＬＰ１１、ＬＭ１１、ＬＰ１２、ＬＭ１２に対応する。切替装置４００の制御部４５０は、図２の制御部１５０に対応する。
【０２４２】
切替装置５００の通信端子ＵＣ５、ＬＣ５１、ＬＣ５２、Ｎ５１、Ｎ５２は、それぞれ、図２の通信端子ＵＣ１、ＬＣ１１、ＬＣ１２、Ｎ１１、Ｎ１２に対応する。切替装置５００の電力端子ＵＰ５、ＵＭ５、ＬＰ５１、ＬＭ５１、ＬＰ５２、ＬＭ５２は、それぞれ、図２の電力端子ＵＰ１、ＵＭ１、ＬＰ１１、ＬＭ１１、ＬＰ１２、ＬＭ１２に対応する。切替装置５００の制御部５５０は、図２の制御部１５０に対応する。
【０２４３】
切替装置６００の通信端子ＵＣ６、ＬＣ６１、ＬＣ６２、Ｎ６１、Ｎ６２は、それぞれ、図２の通信端子ＵＣ１、ＬＣ１１、ＬＣ１２、Ｎ１１、Ｎ１２に対応する。切替装置６００の電力端子ＵＰ６、ＵＭ６、ＬＰ６１、ＬＭ６１、ＬＰ６２、ＬＭ６２は、それぞれ、図２の電力端子ＵＰ１、ＵＭ１、ＬＰ１１、ＬＭ１１、ＬＰ１２、ＬＭ１２に対応する。切替装置６００の制御部６５０は、図２の制御部１５０に対応する。
【０２４４】
蓄電装置８４０の制御部８４１は、図２の蓄電装置８１０、８２０の制御部８１１、８２１に対応する。蓄電装置８４０の蓄電池８４２は、図２の蓄電装置８１０、８２０の蓄電池８１２、８２２に対応する。
【０２４５】
切替装置４００の通信端子ＵＣ４は、通信線を介して、パワーコンディショナ９００に接続される。切替装置４００の電力端子ＵＰ４、ＵＭ４は、電力線を介して、パワーコンディショナ９００に接続される。切替装置４００の通信端子ＬＣ４１は、通信線を介して、蓄電装置８１０に接続される。切替装置４００の電力端子ＬＰ４１、ＬＭ４１は、電力線を介して、蓄電装置８１０に接続される。切替装置４００の通信端子ＬＣ４２は、いずれにも接続されない。
【０２４６】
切替装置４００の電力端子ＬＰ４２、ＬＭ４２は、電力線を介して、切替装置５００の電力端子ＵＰ５、ＵＭ５に接続される。切替装置４００の通信端子Ｎ４１は、いずれにも接続されない。切替装置４００の通信端子Ｎ４２は、通信線を介して、切替装置５００の通信端子Ｎ５１に接続される。
【０２４７】
切替装置５００の通信端子ＵＣ５は、いずれにも接続されない。切替装置５００の通信端子ＬＣ５１は、通信線を介して、蓄電装置８２０に接続される。切替装置５００の電力端子ＬＰ５１、ＬＭ５１は、電力線を介して、蓄電装置８２０に接続される。切替装置５００の通信端子ＬＣ５２は、いずれにも接続されない。
【０２４８】
切替装置５００の電力端子ＬＰ５２、ＬＭ５２は、電力線を介して、切替装置６００の電力端子ＵＰ６、ＵＭ６に接続される。切替装置５００の通信端子Ｎ５１は、通信線を介して、切替装置４００の通信端子Ｎ４２に接続される。切替装置５００の通信端子Ｎ５２は、通信線を介して、切替装置６００の通信端子Ｎ６１に接続される。
【０２４９】
切替装置６００の通信端子ＵＣ６は、いずれにも接続されない。切替装置６００の通信端子ＬＣ６１は、通信線を介して、蓄電装置８３０に接続される。切替装置６００の電力端子ＬＰ６１、ＬＭ６１は、電力線を介して、蓄電装置８３０に接続される。切替装置６００の通信端子ＬＣ６２は、通信線を介して、蓄電装置８４０に接続される。切替装置６００の電力端子ＬＰ６２、ＬＭ６２は、電力線を介して、蓄電装置８４０に接続される。
【０２５０】
切替装置６００の通信端子Ｎ６１は、通信線を介して、切替装置５００の通信端子Ｎ５２に接続される。切替装置６００の通信端子Ｎ６２は、いずれにも接続されない。
【０２５１】
また、パワーコンディショナ９００に通信線を介して接続される切替装置は、切替装置４００のみである。
【０２５２】
切替装置４００の上位装置は、パワーコンディショナ９００であり、切替装置４００の下位装置は、切替装置５００および蓄電装置８１０である。また、切替装置５００の上位装置は、切替装置４００であり、切替装置５００の下位装置は、切替装置６００および蓄電装置８２０である。また、切替装置６００の上位装置は、切替装置５００であり、切替装置６００の下位装置は、蓄電装置８３０、８４０である。
【０２５３】
切替装置４００は、パワーコンディショナ９００からデータを受信した場合、パワーコンディショナ９００からのデータを、通信端子ＬＣ４１を介して、蓄電装置８１０へそのまま送信する。さらに、切替装置４００は、第３通信部（図示せず）および通信端子Ｎ４２を介して、切替装置５００にもそのまま送信する。
【０２５４】
切替装置５００は、通信端子Ｎ５１を介して、切替装置４００から、パワーコンディショナ９００のデータを受信する。そして、切替装置５００は、通信端子ＬＣ５１を介して、蓄電装置８２０へ同じデータをそのまま送信し、さらに、切替装置５００は、通信端子Ｎ５２を介して、切替装置６００へ同じデータをそのまま送信する。
【０２５５】
切替装置６００は、通信端子Ｎ６１を介して、切替装置５００から、パワーコンディショナ９００のデータを受信する。そして、切替装置６００は、通信端子ＬＣ６１、ＬＣ６２を介して、蓄電装置８３０、８４０へ同じデータをそのまま送信する。
【０２５６】
切替装置６００は、自身に直接接続されている蓄電装置８３０、８４０から受信したデータを、通信端子Ｎ６１を介して、切替装置５００へ送信する。
【０２５７】
切替装置５００は、通信端子ＬＣ５１を介して受信した蓄電装置８２０のデータ、および、通信端子Ｎ５２を介して切替装置６００から受信した蓄電装置８３０、８４０のデータを通信端子Ｎ５１から切替装置４００へ送信する。
【０２５８】
したがって、切替装置４００は、切替装置４００の第３通信部および通信端子Ｎ４２を介して、切替装置５００に接続された蓄電装置８２０のデータ、および、切替装置６００に接続された蓄電装置８３０、８４０のデータを受信することができる。
【０２５９】
図１１において、切替装置５００、６００は、通信端子ＵＣ５、ＵＣ６を介して上位装置からデータを受信できないが、切替装置４００は、通信端子ＵＣ４を介して上位装置であるパワーコンディショナ９００からデータを受信できる。切替装置４００は、第２通信部（図示せず）を介してデータを受信することにより、自身がパワーコンディショナ９００へデータを送信する切替装置であると認識できる。
【０２６０】
切替装置４００は、通信端子ＬＣ４１を介して受信した蓄電装置８１０からのデータ、通信端子Ｎ４２を介して受信した蓄電装置８２０のデータ、蓄電装置８３０のデータ、および、蓄電装置８４０のデータを統合する。その際、切替装置４００は、図９に示された実施の形態１のフローチャートに従って処理を実行する。そして、切替装置４００は、パラメータ統合処理（ステップＦ２５０）を実施することで生成されたパラメータを含むデータをパワーコンディショナ９００へ送信する。
【０２６１】
ここで、パラメータ統合処理（ステップＦ２５０）の具体的な動作は、実施の形態１と同様である。第２通信部がデータを受信しない切替装置５００、６００は、パラメータ統合処理を実施しない。
【０２６２】
また、各切替装置の動作は、図６に示された実施の形態１のフローチャートに従って実施される。各切替装置は、切替要否判定処理（ステップＦ１５１）、切替先選択処理（ステップＦ１５２）、および、導通切替処理（ステップＦ１５３）を行う。
【０２６３】
切替装置４００は、蓄電装置８１０、８２０、８３０、８４０のデータ、および、自身の内部の検知手段からの情報のいずれか、あるいは、これらの組み合わせに基づいて切替要否判定処理、および、切替先選択処理を実施する。その際、切替装置４００は、第１通信部（図示せず）を介して蓄電装置８１０のデータを受信する。また、切替装置４００は、通信端子Ｎ４２を介して蓄電装置８２０、８３０、８４０のデータを受信する。
【０２６４】
蓄電装置８１０以外の蓄電装置が切替先として選択された場合、切替装置４００は、パワーコンディショナ９００と、切替装置５００とが導通するように導通切替処理を実施する。
【０２６５】
また、切替装置５００は、蓄電装置８２０、８３０、８４０のデータ、および、自身の内部の検知部からの情報のいずれか、あるいは、これらの組み合わせに基づいて、切替要否判定処理および切替先選択処理を実施する。その際、切替装置５００は、第１通信部（図示せず）を介して蓄電装置８２０のデータを受信する。また、切替装置５００は、通信端子Ｎ５２を介して蓄電装置８３０、８４０のデータを受信する。
【０２６６】
蓄電装置８３０または蓄電装置８４０が切替先として選択された場合、切替装置５００は、切替装置４００と切替装置６００とが導通するように導通切替処理を実施する。
【０２６７】
また、切替装置６００は、第１通信部（図示せず）で受信した蓄電装置８３０、８４０のデータ、および、自身の内部の検知部からの情報に基づいて、切替要否判定処理、および、切替先選択処理を実施する。切替装置６００は、切替先として選択された蓄電装置８３０、８４０のいずれかと、切替装置５００とが導通するように導通切替処理を実施する。
【０２６８】
なお、上記に示された、切替が必要か否かを判定する切替要否判定処理、切替先を選択する切替先選択処理、切替を実施する導通切替処理、および、全体のフローは例であり、これらは、上記に示された例に限定されない。
【０２６９】
また、切替装置５００は、蓄電装置８２０、８３０、８４０のデータをそのまま切替装置４００へ送信する代わりに、パラメータ統合処理を実施し、パラメータ統合処理で生成されたパラメータを切替装置４００へ送信してもよい。そして、切替装置４００は、蓄電装置８１０のデータに含まれるパラメータと、切替装置５００から受信したパラメータとを統合して、パラメータを生成し、生成したパラメータをパワーコンディショナ９００へ送信してもよい。
【０２７０】
また、本実施の形態では、２台の蓄電装置が接続可能な３台の切替装置が用いられている。しかし、各切替装置に接続可能な蓄電装置の数は２台でなくてもよいし、切替装置の数は３台でなくてもよい。
【０２７１】
図１２は、本実施の形態における蓄電システムの変形例を説明する図である。図１２に示された蓄電システム１１４は、パワーコンディショナ９００、切替装置４００、５００、６００、および、蓄電装置８１０、８２０、８３０、８４０、８５０、８６０を備える。蓄電装置８５０、８６０は、図２に示された蓄電装置８１０と同様に、制御部８５１、８６１を備える。制御部８５１、８６１は、蓄電装置８１０の制御部８１１に対応する。蓄電池８５２、８６２は、蓄電装置８１０の蓄電池８１２に対応する。
【０２７２】
図１２に示された蓄電システム１１４では、図１１に示された蓄電システム１１３と比較して、切替装置４００、５００、６００が電力経路について並列に接続されている。このような構成においても、切替装置４００は、蓄電装置８１０、８２０、８３０、８４０、８５０、８６０のデータを統合することによって所定フォーマットのデータを生成し、生成されたデータをパワーコンディショナ９００へ送信することができる。つまり、切替装置４００、５００、６００は、並列に接続されてもよい。
【０２７３】
以上の通り、複数の実施の形態に示された切替装置は、システム全体の変更を抑制しつつ、複数の蓄電装置を切り替えることができる。なお、上記各実施の形態において示された蓄電システムは、電力供給システムと表現されてもよい。
【０２７４】
また、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の切替装置などを実現するソフトウェアは、次のようなプログラムである。
【０２７５】
すなわち、このプログラムは、コンピュータに、蓄電装置から所定フォーマットのデータセットを受信した場合に前記蓄電装置から受信した前記データセットに従って動作するパワーコンディショナを備える電力供給システムにおいて実行される切替方法であって、複数の蓄電装置のそれぞれと前記パワーコンディショナとの間の電力経路の導通および非導通を切り替える切替ステップと、前記複数の蓄電装置のそれぞれから前記所定フォーマットのデータセットを受信することにより、前記パワーコンディショナに導通している第１蓄電装置からの第１データセットと、前記パワーコンディショナに導通していない第２蓄電装置からの第２データセットとを含む複数のデータセットを受信する受信ステップと、前記複数のデータセットを統合することにより、前記所定フォーマットの統合データセットを生成する生成ステップと、前記統合データセットを前記パワーコンディショナに送信する送信ステップとを含む切替方法を実行させる。
【０２７６】
また、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０２７７】
以上、一つまたは複数の態様に係る切替装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０２７８】
例えば、上記各実施の形態において、特定の処理部が実行する処理を特定の処理部の代わりに別の処理部が実行してもよい。また、複数の処理の順序が変更されてもよいし、複数の処理が並行して実行されてもよい。
【産業上の利用可能性】
【０２７９】
本発明に係る切替装置は、蓄電装置およびパワーコンディショナを用いる蓄電システムまたは電力供給システム等に利用可能である。
【符号の説明】
【０２８０】
１００、２００、３００、４００、５００、６００  切替装置
１０１  切替部
１０２  第１接続部
１０３  第２接続部
１０４  第３接続部
１１１、１１２、１１３、１１４、８００  蓄電システム
１５０、２５０、３５０、４５０、５５０、６５０、８１１、８２１、８３１、８４１、８５１、８６１、９０１  制御部
１５１  第１通信部
１５２  第２通信部
１５３  生成部
１５４  切替判定部
１５５  導通制御部
１５６  第３通信部
１５７  切替制御部
１５８、９０８  記憶部
８１０、８２０、８３０、８４０、８５０、８６０  蓄電装置
８１２、８２２、８３２、８４２、８５２、８６２  蓄電池
９００  パワーコンディショナ
９０２  ＤＣ／ＡＣインバータ
９０３、９０４  ＤＣ／ＤＣコンバータ
９０５  ＤＣバス
９０６  充放電制御部
９０７  通信部
９０９  ＵＩ部（ユーザーインターフェース部）
９１０  電力系統
９２０  負荷（負荷装置）
９３０  太陽電池
ＣＳ１１、ＣＳ１２、ＣＳ２１、ＣＳ２２  制御信号
Ｉ８０、Ｉ８１、Ｉ８２、Ｉ９０  パラメータ
ＩＵ、ＩＬ１、ＩＬ２、ＶＵ、ＶＬ１、ＶＬ２  検知部
ＬＣ１１、ＬＣ１２、ＬＣ２１、ＬＣ２２、ＬＣ３１、ＬＣ３２、ＬＣ４１、ＬＣ４２、ＬＣ５１、ＬＣ５２、ＬＣ６１、ＬＣ６２、Ｎ１１、Ｎ１２、Ｎ２１、Ｎ２２、Ｎ３１、Ｎ３２、Ｎ４１、Ｎ４２、Ｎ５１、Ｎ５２、Ｎ６１、Ｎ６２、ＵＣ１、ＵＣ２、ＵＣ３、ＵＣ４、ＵＣ５、ＵＣ６  通信端子
ＬＭ１１、ＬＭ１２、ＬＭ２１、ＬＭ２２、ＬＭ３１、ＬＭ３２、ＬＭ４１、ＬＭ４２、ＬＭ５１、ＬＭ５２、ＬＭ６１、ＬＭ６２、ＬＰ１１、ＬＰ１２、ＬＰ２１、ＬＰ２２、ＬＰ３１、ＬＰ３２、ＬＰ４１、ＬＰ４２、ＬＰ５１、ＬＰ５２、ＬＰ６１、ＬＰ６２、ＵＭ１、ＵＭ２、ＵＭ３、ＵＭ４、ＵＭ５、ＵＭ６、ＵＰ１、ＵＰ２、ＵＰ３、ＵＰ４、ＵＰ５、ＵＰ６  電力端子
ＭＩＵ、ＭＩＬ１、ＭＩＬ２、ＭＶＵ、ＭＶＬ１、ＭＶＬ２  検知情報
Ｒ１１、Ｒ１２  抵抗
Ｓ１１、Ｓ１２、Ｓ２１、Ｓ２２  スイッチ
【図１】
2015211551.tif 000007
【図２】
2015211551.tif 000008
【図３】
2015211551.tif 000009
【図４】
2015211551.tif 000010
【図５】
2015211551.tif 000011
【図６】
2015211551.tif 000012
【図７】
2015211551.tif 000013
【図８】
2015211551.tif 000014
【図９】
2015211551.tif 000015
【図１０】
2015211551.tif 000016
【図１１】
2015211551.tif 000017
【図１２】
2015211551.tif 000018